(57)【特許請求の範囲】
【請求項１】
ユーザ機器（ＵＥ）のワイヤレス通信の方法であって、前記方法は、
基地局から車両間（Ｖ２Ｖ）通信のためのリソース割当てのためのアクティブ化許可を取得する前に前記Ｖ２Ｖ通信に必要とされる複数のリソースパターンを決定することと、
基地局に、複数のリソースパターンに関連する支援情報を含む半永続的スケジュール（ＳＰＳ）要求を送ること、ここにおいて、前記複数のリソースパターンの各リソースパターンは、前記ＵＥからの別個のＶ２Ｖ通信に関連する、と、
前記基地局から、前記複数のリソースパターンのうちの少なくとも１つのリソースパターンに関連する応答を受信すること、前記応答が、承認されたリソースパターンのインデックスを備える、と、
前記基地局から、前記少なくとも１つのリソースパターンのための前記リソース割当てのための前記アクティブ化許可を受信すること、前記アクティブ化許可が、承認されたリソースパターンの前記インデックスを備える、と
を備える、方法。
【請求項２】
前記支援情報は、前記Ｖ２Ｖ通信のためのターゲット範囲、前記Ｖ２Ｖ通信の電力、前記Ｖ２Ｖ通信に必要とされる前記少なくとも１つのリソースパターンの周期性、前記Ｖ２Ｖ通信におけるレイテンシ、前記Ｖ２Ｖ通信に関連する送信タイプ、システムフレーム番号（ＳＦＮ）に関するリソースオフセット、または前記少なくとも１つのリソースパターンが必要とされる時間の長さのうちの１つまたは複数に関連する情報を含む、請求項１に記載の方法。
【請求項３】
前記支援情報が媒体アクセス制御（ＭＡＣ）ヘッダまたは無線リソース制御（ＲＲＣ）メッセージの制御要素中で送られ、
前記少なくとも１つのリソースパターンに関連する前記応答がＲＲＣ許可中で受信され、
前記アクティブ化許可がデータチャネル情報（ＤＣＩ）許可中で受信される、
請求項１に記載の方法。
【請求項４】
前記複数のリソースパターンに関連する前記支援情報を前記送ることが、複数の個々の送信を送ることを備え、前記複数の個々の送信の各々が、異なるリソースパターンに関連する、請求項１に記載の方法。
【請求項５】
前記複数のリソースパターンに関連する前記支援情報を前記送ることが、前記複数のリソースパターンに関連する単一の送信を送ることを備える、請求項１に記載の方法。
【請求項６】
前記リソース割当てに基づいて前記Ｖ２Ｖ通信を実行することをさらに備える、請求項１に記載の方法。
【請求項７】
前記基地局から、前記リソース割当てを非アクティブにする、前記少なくとも１つのリソースパターンに関連する非アクティブ化許可を受信することをさらに備え、前記非アクティブ化許可が、非アクティブにされるリソースパターンのインデックスを備える、請求項１に記載の方法。
【請求項８】
前記アクティブ化許可または前記非アクティブ化許可のうちの１つまたは複数がダウンリンク制御情報（ＤＣＩ）許可中で受信される、請求項７に記載の方法。
【請求項９】
前記少なくとも１つのリソースパターンに関連する前記応答中に含まれる無線ネットワーク一時識別子（ＲＮＴＩ）を使用して前記アクティブ化許可を処理することによって前記リソース割当てを決定することをさらに備える、請求項１に記載の方法。
【請求項１０】
ワイヤレス通信のための装置であって、
メモリと、
前記メモリに結合された少なくとも１つのプロセッサと
を備え、前記少なくとも１つのプロセッサは、
基地局から車両間（Ｖ２Ｖ）通信のためのリソース割当てのためのアクティブ化許可を取得する前に前記Ｖ２Ｖ通信に必要とされる複数の１つのリソースパターンを決定することと、
基地局に、複数のリソースパターンに関連する支援情報を含む半永続的スケジュール（ＳＰＳ）要求を送ること、ここにおいて、前記複数のリソースパターンの各リソースパターンは、ユーザ機器器（ＵＥ）からの別個のＶ２Ｖ通信に関連する、と、
前記基地局から、前記複数のリソースパターンのうちの少なくとも１つのリソースパターンに関連する応答を受信すること、前記応答が、承認されたリソースパターンのインデックスを備える、と、
前記基地局から、前記少なくとも１つのリソースパターンのための前記リソース割当てのための前記アクティブ化許可を受信すること、前記アクティブ化許可が、承認されたリソースパターンの前記インデックスを備える、と
を行うように構成された、装置。
【請求項１１】
前記支援情報は、前記Ｖ２Ｖ通信のためのターゲット範囲、前記Ｖ２Ｖ通信の電力、前記Ｖ２Ｖ通信に必要とされる前記少なくとも１つのリソースパターンの周期性、前記Ｖ２Ｖ通信におけるレイテンシ、前記Ｖ２Ｖ通信に関連する送信タイプ、システムフレーム番号（ＳＦＮ）に関するリソースオフセット、または前記少なくとも１つのリソースパターンが必要とされる時間の長さのうちの１つまたは複数を含む、請求項１０に記載の装置。
【請求項１２】
前記支援情報が媒体アクセス制御（ＭＡＣ）ヘッダまたは無線リソース制御（ＲＲＣ）メッセージの制御要素中で送られ、
前記支援情報に関連する前記応答がＲＲＣ許可中で受信され、
前記アクティブ化許可がデータチャネル情報（ＤＣＩ）許可中で受信される、
請求項１０に記載の装置。
【請求項１３】
前記少なくとも１つのプロセッサが、複数の個々の送信を送ることによって、前記複数のリソースパターンに関連する前記支援情報を送るように構成され、前記複数の個々の送信の各々が、異なるリソースパターンに関連する、請求項１０に記載の装置。
【請求項１４】
前記少なくとも１つのプロセッサが、前記複数のリソースパターンに関連する単一の送信を送ることによって、前記複数のリソースパターンに関連する前記支援情報を送るように構成された、請求項１０に記載の装置。
【請求項１５】
前記少なくとも１つのプロセッサが、前記リソース割当てに基づいて前記Ｖ２Ｖ通信を実行するようにさらに構成された、請求項１０に記載の装置。
【請求項１６】
前記少なくとも１つのプロセッサが、前記基地局から、前記リソース割当てを非アクティブにする、前記少なくとも１つのリソースパターンに関連する非アクティブ化許可を受信するようにさらに構成され、前記非アクティブ化許可が、非アクティブにされるリソースパターンのインデックスを備える、請求項１０に記載の装置。
【請求項１７】
前記アクティブ化許可または前記非アクティブ化許可のうちの１つまたは複数がダウンリンク制御情報（ＤＣＩ）許可中で受信される、請求項１６に記載の装置。
【請求項１８】
前記少なくとも１つのプロセッサが、前記少なくとも１つのリソースパターンに関連する前記応答中に含まれる無線ネットワーク一時識別子（ＲＮＴＩ）を使用して前記アクティブ化許可を処理することによって前記リソース割当てを決定するようにさらに構成された、請求項１０に記載の装置。
【請求項１９】
ワイヤレス通信のための装置であって、
基地局から車両間（Ｖ２Ｖ）通信のためのリソース割当てのためのアクティブ化許可を取得する前に前記Ｖ２Ｖ通信に必要とされる複数のリソースパターンを決定するための手段と、
基地局に、複数のリソースパターンに関連する支援情報を含む半永続的スケジュール（ＳＰＳ）要求を送るための手段、ここにおいて、前記複数のリソースパターンの各リソースパターンは、ユーザ機器（ＵＥ）からの別個のＶ２Ｖ通信に関連する、と、
前記基地局から、前記複数のリソースパターンのうちの少なくとも１つのリソースパターンに関連する応答を受信するための手段、前記応答が、承認されたリソースパターンのインデックスを備える、と、
前記基地局から、前記少なくとも１つのリソースパターンのための前記リソース割当てのための前記アクティブ化許可を受信するための手段、前記アクティブ化許可が、承認されたリソースパターンの前記インデックスを備える、と
を備える、装置。
【請求項２０】
前記支援情報は、前記Ｖ２Ｖ通信のためのターゲット範囲、前記Ｖ２Ｖ通信の電力、前記Ｖ２Ｖ通信に必要とされる前記少なくとも１つのリソースパターンの周期性、前記Ｖ２Ｖ通信におけるレイテンシ、前記Ｖ２Ｖ通信に関連する送信タイプ、システムフレーム番号（ＳＦＮ）に関するリソースオフセット、または前記少なくとも１つのリソースパターンが必要とされる時間の長さのうちの１つまたは複数に関連する情報を含む、請求項１９に記載の装置。
【請求項２１】
前記支援情報が媒体アクセス制御（ＭＡＣ）ヘッダまたは無線リソース制御（ＲＲＣ）メッセージの制御要素中で送られ、
前記支援情報に関連する前記応答がＲＲＣ許可中で受信され、
前記アクティブ化許可がデータチャネル情報（ＤＣＩ）許可中で受信される、
請求項１９に記載の装置。
【請求項２２】
前記複数のリソースパターンに関連する前記支援情報を送るための前記手段が、複数の個々の送信を送るように構成され、前記複数の個々の送信の各々が、異なるリソースパターンに関連する、請求項１９に記載の装置。
【請求項２３】
前記複数のリソースパターンに関連する前記支援情報を送るための前記手段が、前記複数のリソースパターンに関連する情報を含む単一の送信を送るように構成された、請求項１９に記載の装置。
【請求項２４】
基地局から車両間（Ｖ２Ｖ）通信のためのリソース割当てのためのアクティブ化許可を取得する前に前記Ｖ２Ｖ通信に必要とされる複数のリソースパターンを決定することと、
基地局に、複数のリソースパターンに関連する支援情報を含む半永続的スケジュール（ＳＰＳ）要求を送ること、ここにおいて、前記複数のリソースパターンの各リソースパターンは、ユーザ機器（ＵＥ）からの別個のＶ２Ｖ通信に関連する、と、
前記基地局から、前記複数のリソースパターンのうちの少なくとも１つのリソースパターンに関連する応答を受信すること、前記応答が、承認されたリソースパターンのインデックスを備える、と、
前記基地局から、前記少なくとも１つのリソースパターンのための前記リソース割当てのための前記アクティブ化許可を受信すること、前記アクティブ化許可が、承認されたリソースパターンの前記インデックスを備える、と
を行うためのコードを備える、コンピュータ実行可能コードを記憶するコンピュータ可読媒体。
【発明の詳細な説明】
【技術分野】
【０００１】
関連出願の相互参照
[0001]本出願は、その全体が参照により本明細書に明確に組み込まれる、２０１５年７月１４日に出願された「SEMI-PERSISTENT SCHEDULING MECHANISMS FOR VEHICLE-TO-VEHICLE COMMUNICATION」と題する米国仮出願第６２／１９２，１７８号、および２０１６年６月８日に出願された「SEMI-PERSISTENT SCHEDULING MECHANISMS FOR VEHICLE-TO-VEHICLE COMMUNICATION」と題する米国特許出願第１５／１７７，１８６号の利益を主張する。
【０００２】
[0002]本開示は、一般に通信システムに関し、より詳細には、車両間（Ｖ２Ｖ：vehicle-to-vehicle）通信のための半永続的スケジューリング（semi-persistent scheduling）機構に関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソースを共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、様々なワイヤレスデバイスが都市、国家、地域、さらには地球規模で通信することを可能にする共通プロトコルを提供するために、様々な電気通信規格において採用されている。例示的な電気通信規格はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、ダウンリンク上のＯＦＤＭＡと、アップリンク上のＳＣ−ＦＤＭＡと、多入力多出力（ＭＩＭＯ：multiple-input multiple-output）アンテナ技術とを使用して、スペクトル効率の改善、コストの低下、およびサービスの改善を通してモバイルブロードバンドアクセスをサポートするために設計される。しかしながら、モバイルブロードバンドアクセスに対する需要が増加し続けるにつれて、ＬＴＥ技術のさらなる改善が必要である。これらの改善はまた、他の多元接続技術と、これらの技術を採用する電気通信規格とに適用可能であり得る。
【０００５】
[0005]ＬＴＥ通信とは異なり、Ｖ２Ｖ通信の場合、ワイヤレスデバイスを装備した車両（たとえば、自律走行車両、非自律走行車両、または半自律走行車両）は、同時の、複数の半永続的リソース割当てを必要とし得る。したがって、Ｖ２Ｖ通信のための半永続的スケジューリング機構に対する満たされないニーズがある。
【発明の概要】
【０００６】
[0006]以下は、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示されるより詳細な説明の導入として、１つまたは複数の態様のいくつかの概念を簡略化された形で提示することである。
【０００７】
[0007]無人運転自動車または自動運転自動車としても知られる自律走行車両は、旧来の自動車の主要な輸送能力を実現することが可能であり得る自動車両である。自律走行車両は、レーダー、ライダー、全地球測位システム（ＧＰＳ）、コンピュータビジョン、および／またはＶ２Ｖ通信などの技法を使用してそれらの周囲を検知することが可能であり得る。自律走行車両の制御システムは、適切なナビゲーション経路ならびに障害および／または関連する標識を識別するために、Ｖ２Ｖ通信を使用して取得された感覚情報およびデータを解釈し得る。さらに、自律走行車両は、Ｖ２Ｖ通信を使用して取得された感覚情報および／またはデータに基づいてマップを更新することが可能であり得る。Ｖ２Ｖ通信を使用して取得された感覚情報および／またはデータに基づいてマップを更新することは、車両が車道に入るかまたはそれを出る時など、状態が変化するときでも、車両が位置情報を追跡することを可能にし得る。
【０００８】
[0008]レガシーＬＴＥ通信とは異なり、Ｖ２Ｖ通信の場合、ワイヤレスデバイスを装備した車両（たとえば、自律走行車両、非自律走行車両、または半自律走行車両）は、同時の、複数の半永続的リソース割当てを必要とし得る。たとえば、車両は、車両が道路上の他の車両に周期的にブロードキャストする特定のタイプのメッセージにそれぞれ対応する異なる半永続的リソース割当てを必要とし得る。また、各半永続的リソース割当ては、期間、サイズ、ターゲット範囲、送信レイテンシなどに関して要件の異なるセットを満たす必要があり得る。したがって、Ｖ２Ｖ通信のための半永続的スケジューリング機構に対する満たされないニーズがある。
【０００９】
[0009]本開示は、基地局が、（１つまたは複数の）半永続的スケジューリング（ＳＰＳ）要求において指定された様々な要件を考慮した後に、ユーザ機器（ＵＥ）（たとえば、車両）から受信された各ＳＰＳ要求に割り当てられる（１つまたは複数の）リソースを決定することを可能にすることによって、問題の解決策を提供する。ＳＰＳ要求は、Ｖ２Ｖ通信のためのリソース割当てのためのものであり得る。基地局は、ＵＥに（１つまたは複数の）リソース割当てをシグナリングし得る。たとえば、リソース割当ては、無線リソース制御（ＲＲＣ：radio resource control）許可とダウンリンク制御情報（ＤＣＩ：downlink control information）許可との組合せを含み得る。一態様では、ＲＲＣ許可は、複数のＳＰＳ要求のためのリソース割当て持続時間を指定し得、ＤＣＩ許可は、複数のＳＰＳ要求のためのリソース割当てをアクティブ／非アクティブにし得る。このようにして、本開示は、Ｖ２Ｖ通信において使用するために、同時の、複数の半永続的リソース割当ての割当てを可能にする。
【００１０】
[0010]本開示の一態様では、方法、コンピュータ可読媒体、および装置が提供される。本装置はＵＥ（たとえば、車両）であり得る。ＵＥは、Ｖ２Ｖ通信に必要とされる少なくとも１つのリソースパターンを決定し得る。ＵＥはまた、少なくとも１つのリソースパターンのための支援情報を基地局に送り得る。さらに、ＵＥは、基地局から、少なくとも１つのリソースパターンに関連する応答を受信し得る。一態様では、応答は、承認されたリソースパターンのインデックスを含み得る。さらに、ＵＥは、基地局から、少なくとも１つのリソースパターンのためのリソース割当てのためのアクティブ化許可を受信し得る。一態様では、アクティブ化許可は、アクティブにされている承認されたリソースパターンのインデックスを含み得る。
【００１１】
[0011]別の態様では、本装置は基地局であり得る。基地局は、ＵＥから、少なくとも１つのリソースパターンに関連する支援情報を受信し得る。一態様では、支援情報は、Ｖ２Ｖ通信に必要とされる少なくとも１つのリソースパターンに関連する情報を含み得る。さらに、基地局は、ＵＥに、少なくとも１つのリソースパターンに関連する応答を送信し得る。一態様では、応答は、承認されたリソースパターンのインデックスを含み得る。基地局はまた、ＵＥに、少なくとも１つのリソースパターンのためのリソース割当てのためのアクティブ化許可を送信し得る。一態様では、アクティブ化許可は、承認されたリソースパターンのインデックスを含み得る。
【００１２】
[0012]上記および関係する目的を達成するために、１つまたは複数の態様は、以下で十分に説明され、特に特許請求の範囲で指摘される特徴を備える。以下の説明および添付の図面は、１つまたは複数の態様のいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【図面の簡単な説明】
【００１３】
【図１】[0013]ワイヤレス通信システムおよびアクセスネットワークの一例を示す図。
【図２Ａ】[0014]ＤＬフレーム構造のＬＴＥ例を示す図。
【図２Ｂ】ＤＬフレーム構造内のＤＬチャネルのＬＴＥ例を示す図。
【図２Ｃ】ＵＬフレーム構造のＬＴＥ例を示す図。
【図２Ｄ】ＵＬフレーム構造内のＵＬチャネルのＬＴＥ例を示す図。
【図３】[0015]アクセスネットワーク中の発展型ノードＢ（ｅＮＢ）およびＵＥの一例を示す図。
【図４】[0016]例示的なＶ２Ｖ通信システムの図。
【図５】[0017]本開示の一態様による、例示的なＶ２Ｖ通信システムの図。
【図６】[0018]ワイヤレス通信の方法のフローチャート。
【図７】[0019]例示的な装置中の異なる手段／構成要素間のデータフローを示す概念データフロー図。
【図８】[0020]処理システムを採用する装置のためのハードウェア実装形態の一例を示す図。
【図９】[0021]ワイヤレス通信の方法のフローチャート。
【図１０】[0022]例示的な装置中の異なる手段／構成要素間のデータフローを示す概念データフロー図。
【図１１】[0023]処理システムを採用する装置のためのハードウェア実装形態の一例を示す図。
【発明を実施するための形態】
【００１４】
[0024]添付の図面に関して以下に記載される発明を実施するための形態は、様々な構成を説明するものであり、本明細書で説明される概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にしないように、よく知られている構造および構成要素がブロック図の形式で示される。
【００１５】
[0025]次に、様々な装置および方法に関して電気通信システムのいくつかの態様が提示される。これらの装置および方法は、以下の発明を実施するための形態において説明され、（「要素」と総称される）様々なブロック、構成要素、回路、プロセス、アルゴリズムなどによって添付の図面に示される。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課される設計制約に依存する。
【００１６】
[0026]例として、要素、または要素の任意の部分、または要素の任意の組合せは、１つまたは複数のプロセッサを含む「処理システム」として実装され得る。プロセッサの例としては、マイクロプロセッサ、マイクロコントローラ、グラフィックス処理ユニット（ＧＰＵ）、中央処理ユニット（ＣＰＵ）、アプリケーションプロセッサ、デジタル信号プロセッサ（ＤＳＰ）、縮小命令セットコンピューティング（ＲＩＳＣ）プロセッサ、システムオンチップ（ＳｏＣ）、ベースバンドプロセッサ、フィールドプログラマブルゲートアレイ（ＦＰＧＡ）、プログラマブル論理デバイス（ＰＬＤ）、状態機械、ゲート論理、個別ハードウェア回路、および本開示全体にわたって説明される様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェア構成要素、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１７】
[0027]したがって、１つまたは複数の例示的な実施形態では、説明される機能は、ハードウェア、ソフトウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、光ディスクストレージ、磁気ディスクストレージ、他の磁気ストレージデバイス、上述のタイプのコンピュータ可読媒体の組合せ、あるいはコンピュータによってアクセスされ得る、命令またはデータ構造の形態のコンピュータ実行可能コードを記憶するために使用され得る任意の他の媒体を備えることができる。
【００１８】
[0028]図１は、ワイヤレス通信システムおよびアクセスネットワーク１００の一例を示す図である。（ワイヤレスワイドエリアネットワーク（ＷＷＡＮ：wireless wide area network）とも呼ばれる）ワイヤレス通信システムは、基地局１０２と、ＵＥ１０４と、発展型パケットコア（ＥＰＣ：Evolved Packet Core）１６０とを含む。基地局１０２はマクロセル（高電力セルラー基地局）および／またはスモールセル（低電力セルラー基地局）を含み得る。マクロセルはｅＮＢを含む。スモールセルは、フェムトセルと、ピコセルと、マイクロセルとを含む。
【００１９】
[0029]（発展型ユニバーサルモバイルテレコミュニケーションズシステム（ＵＭＴＳ）地上波無線アクセスネットワーク（Ｅ−ＵＴＲＡＮ）と総称される）基地局１０２は、バックホールリンク（backhaul links）１３２（たとえば、Ｓ１インターフェース）を通してＥＰＣ１６０とインターフェースする。他の機能に加えて、基地局１０２は、以下の機能、すなわち、ユーザデータの転送、無線チャネル暗号化および解読、完全性保護、ヘッダ圧縮、モビリティ制御機能（たとえば、ハンドオーバ、デュアル接続性）、セル間干渉協調、接続セットアップおよび解放、負荷分散、非アクセス層（ＮＡＳ：non-access stratum）メッセージのための分配、ＮＡＳノード選択、同期、無線アクセスネットワーク（ＲＡＮ：radio access network）共有、マルチメディアブロードキャストマルチキャストサービス（ＭＢＭＳ：multimedia broadcast multicast service）、加入者および機器トレース、ＲＡＮ情報管理（ＲＩＭ）、ページング、測位、ならびに警告メッセージの配信のうちの１つまたは複数を実行し得る。基地局１０２は、バックホールリンク１３４（たとえば、Ｘ２インターフェース）上で互いと（たとえば、ＥＰＣ１６０を通して）直接または間接的に通信し得る。バックホールリンク１３４はワイヤードまたはワイヤレスであり得る。
【００２０】
[0030]基地局１０２はＵＥ１０４とワイヤレス通信し得る。基地局１０２の各々は、それぞれの地理的カバレージエリア１１０に通信カバレージを与え得る。重複する地理的カバレージエリア１１０があり得る。たとえば、スモールセル１０２’は、１つまたは複数のマクロ基地局１０２のカバレージエリア１１０と重複するカバレージエリア１１０’を有し得る。スモールセルとマクロセルの両方を含むネットワークが、異種ネットワークとして知られ得る。異種ネットワークはまた、限定加入者グループ（ＣＳＧ）として知られる限定グループにサービスを提供し得るホーム発展型ノードＢ（ｅＮＢ）（ＨｅＮＢ：Home Evolved Node B）を含み得る。基地局１０２とＵＥ１０４との間の通信リンク１２０は、ＵＥ１０４から基地局１０２への（逆方向リンクとも呼ばれる）アップリンク（ＵＬ）送信、および／または基地局１０２からＵＥ１０４への（順方向リンクとも呼ばれる）ダウンリンク（ＤＬ）送信を含み得る。通信リンク１２０は、空間多重化、ビームフォーミング、および／または送信ダイバーシティを含む、ＭＩＭＯアンテナ技術を使用し得る。通信リンクは、１つまたは複数のキャリアを介したものであり得る。基地局１０２／ＵＥ１０４は、各方向において送信のために使用される最高合計Ｙｘ  ＭＨｚ（ｘ個のコンポーネントキャリア）のキャリアアグリゲーションにおいて割り振られた、キャリアごとの最高Ｙ  ＭＨｚ（たとえば、５、１０、１５、２０ＭＨｚ）帯域幅のスペクトルを使用し得る。キャリアは、互いに隣接することも隣接しないこともある。キャリアの割振りは、ＤＬとＵＬとに対して非対称であり得る（たとえば、ＵＬよりも多いまたは少ないキャリアがＤＬのために割り振られ得る）。コンポーネントキャリアは、１次コンポーネントキャリアと、１つまたは複数の２次コンポーネントキャリアとを含み得る。１次コンポーネントキャリアは１次セル（ＰＣｅｌｌ）と呼ばれることがあり、２次コンポーネントキャリアは２次セル（ＳＣｅｌｌ）と呼ばれることがある。
【００２１】
[0031]ワイヤレス通信システムは、５ＧＨｚ無認可周波数スペクトル中で通信リンク１５４を介してＷｉ−Ｆｉ（登録商標）局（ＳＴＡ）１５２と通信しているＷｉ−Ｆｉアクセスポイント（ＡＰ）１５０をさらに含み得る。無認可周波数スペクトル中で通信するときに、ＳＴＡ１５２／ＡＰ１５０は、チャネルが利用可能であるかどうかを決定するために、通信するより前にクリアチャネルアセスメント（ＣＣＡ：clear channel assessment）を実行し得る。
【００２２】
[0032]スモールセル１０２’は、認可および／または無認可周波数スペクトル中で動作し得る。無認可周波数スペクトル中で動作するとき、スモールセル１０２’はＬＴＥを採用し、Ｗｉ−Ｆｉ  ＡＰ１５０によって使用されるものと同じ５ＧＨｚ無認可周波数スペクトルを使用し得る。無認可周波数スペクトル中でＬＴＥを採用するスモールセル１０２’は、アクセスネットワークへのカバレージをブーストし、および／またはそれの容量を増加させ得る。無認可スペクトル中のＬＴＥは、ＬＴＥ無認可（ＬＴＥ−Ｕ：LTE-unlicensed）、認可支援アクセス（ＬＡＡ：licensed assisted access）、またはＭｕＬＴＥｆｉｒｅと呼ばれることがある。
【００２３】
[0033]ＥＰＣ１６０は、モビリティ管理エンティティ（ＭＭＥ：Mobility Management Entity）１６２と、他のＭＭＥ１６４と、サービングゲートウェイ１６６と、マルチメディアブロードキャストマルチキャストサービス（ＭＢＭＳ：Multimedia Broadcast Multicast Service）ゲートウェイ１６８と、ブロードキャストマルチキャストサービスセンター（ＢＭ−ＳＣ：Broadcast Multicast Service Center）１７０と、パケットデータネットワーク（ＰＤＮ：Packet Data Network）ゲートウェイ１７２とを含み得る。ＭＭＥ１６２はホーム加入者サーバ（ＨＳＳ：Home Subscriber Server）１７４と通信していることがある。ＭＭＥ１６２は、ＵＥ１０４とＥＰＣ１６０との間のシグナリングを処理する制御ノードである。概して、ＭＭＥ１６２はベアラおよび接続管理を行う。すべてのユーザインターネットプロトコル（ＩＰ：Internet protocol）パケットはサービングゲートウェイ１６６を通して転送され、サービングゲートウェイ１６６自体はＰＤＮゲートウェイ１７２に接続される。ＰＤＮゲートウェイ１７２はＵＥのＩＰアドレス割振りならびに他の機能を与える。ＰＤＮゲートウェイ１７２とＢＭ−ＳＣ１７０とはＩＰサービス１７６に接続される。ＩＰサービス１７６は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１７０は、ＭＢＭＳユーザサービスプロビジョニングおよび配信のための機能を与え得る。ＢＭ−ＳＣ１７０は、コンテンツプロバイダＭＢＭＳ送信のためのエントリポイントとして働き得、パブリックランドモバイルネットワーク（ＰＬＭＮ：public land mobile network）内のＭＢＭＳベアラサービスを許可し、開始するために使用され得、ＭＢＭＳ送信をスケジュールするために使用され得る。ＭＢＭＳゲートウェイ１６８は、特定のサービスをブロードキャストするマルチキャストブロードキャスト単一周波数ネットワーク（ＭＢＳＦＮ）エリアに属する基地局１０２にＭＢＭＳトラフィックを配信するために使用され得、セッション管理（開始／停止）と、ｅＭＢＭＳ関係の課金情報を収集することとを担当し得る。
【００２４】
[0034]基地局は、ノードＢ、発展型ノードＢ（ｅＮＢ）、アクセスポイント、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。基地局１０２は、ＵＥ１０４にＥＰＣ１６０へのアクセスポイントを与える。ＵＥ１０４の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、スマートデバイス、ウェアラブルデバイス、または任意の他の同様の機能デバイスがある。ＵＥ１０４は、局、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２５】
[0035]再び図１を参照すると、いくつかの態様では、ｅＮＢ１０２は、Ｖ２Ｖ通信のための半永続的スケジューリング機構（１９８）を可能にするように構成され得る。
【００２６】
[0036]図２Ａは、ＬＴＥにおけるＤＬフレーム構造の一例を示す図２００である。図２Ｂは、ＬＴＥにおけるＤＬフレーム構造内のチャネルの一例を示す図２３０である。図２Ｃは、ＬＴＥにおけるＵＬフレーム構造の一例を示す図２５０である。図２Ｄは、ＬＴＥにおけるＵＬフレーム構造内のチャネルの一例を示す図２８０である。他のワイヤレス通信技術は、異なるフレーム構造および／または異なるチャネルを有し得る。ＬＴＥでは、フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットは、（物理的リソースブロック（ＰＲＢ：physical resource block）とも呼ばれる）１つまたは複数の時間並列リソースブロック（ＲＢ）を含む。リソースグリッドは複数のリソース要素（ＲＥ：resource element）に分割される。ＬＴＥでは、ノーマルサイクリックプレフィックスの場合、ＲＢは、合計８４個のＲＥについて、周波数領域中に１２個の連続するサブキャリアを含んでおり、時間領域中に７つの連続するシンボル（ＤＬの場合ＯＦＤＭシンボル、ＵＬの場合ＳＣ−ＦＤＭＡシンボル）を含んでいる。拡張サイクリックプレフィックスの場合、ＲＢは、合計７２個のＲＥについて、周波数領域中に１２個の連続するサブキャリアを含んでおり、時間領域中に６つの連続するシンボルを含んでいる。各ＲＥによって搬送されるビット数は変調方式に依存する。
【００２７】
[0037]図２Ａに示されているように、ＲＥのうちのいくつかは、ＵＥにおけるチャネル推定のためのＤＬ基準（パイロット）信号（ＤＬ−ＲＳ：DL reference signal）を搬送する。ＤＬ−ＲＳは、（共通ＲＳと呼ばれることもある）セル固有基準信号（ＣＲＳ：cell-specific reference signal）と、ＵＥ固有基準信号（ＵＥ−ＲＳ：UE-specific reference signal）と、チャネル状態情報基準信号（ＣＳＩ−ＲＳ：channel state information reference signal）とを含み得る。図２Ａに、（それぞれ、Ｒ0、Ｒ1、Ｒ2、およびＲ3として示される）アンテナポート０、１、２、および３のためのＣＲＳと、（Ｒ5として示される）アンテナポート５のためのＵＥ−ＲＳと、（Ｒとして示される）アンテナポート１５のためのＣＳＩ−ＲＳとを示す。図２Ｂに、フレームのＤＬサブフレーム内の様々なチャネルの一例を示す。物理制御フォーマットインジケータチャネル（ＰＣＦＩＣＨ：physical control format indicator channel）は、スロット０のシンボル０内にあり、物理ダウンリンク制御チャネル（ＰＤＣＣＨ：physical downlink control channel）が１つのシンボルを占有するのか、２つのシンボルを占有するのか、３つのシンボルを占有するのかを示す制御フォーマットインジケータ（ＣＦＩ）を搬送する（図２Ｂは、３つのシンボルを占有するＰＤＣＣＨを示す）。ＰＤＣＣＨは、１つまたは複数の制御チャネル要素（ＣＣＥ）内でＤＣＩを搬送し、各ＣＣＥは９つのＲＥグループ（ＲＥＧ）を含み、各ＲＥＧは、ＯＦＤＭシンボル中に４つの連続するＲＥを含む。ＵＥは、ＤＣＩをも搬送するＵＥ固有拡張ＰＤＣＣＨ（ｅＰＤＣＣＨ：enhanced PDCCH）で構成され得る。ｅＰＤＣＣＨは、２つ、４つ、または８つのＲＢペアを有し得る（図２Ｂは２つのＲＢペアを示しており、各サブセットは１つのＲＢペアを含む）。物理ハイブリッド自動再送要求（ＡＲＱ：automatic repeat request）（ＨＡＲＱ：hybrid ARQ）インジケータチャネル（ＰＨＩＣＨ：physical HARQ indicator channel）もスロット０のシンボル０内にあり、物理アップリンク共有チャネル（ＰＵＳＣＨ）に基づいてＨＡＲＱ肯定応答（ＡＣＫ：acknowledgement）／否定ＡＣＫ（ＮＡＣＫ：negative ACK）フィードバックを示すＨＡＲＱインジケータ（ＨＩ）を搬送する。１次同期チャネル（ＰＳＣＨ）は、フレームのサブフレーム０および５内のスロット０のシンボル６内にあり、サブフレームタイミングと物理レイヤ識別情報とを決定するためにＵＥによって使用される１次同期信号（ＰＳＳ）を搬送する。２次同期チャネル（ＳＳＣＨ）は、フレームのサブフレーム０および５内のスロット０のシンボル５内にあり、物理レイヤセル識別情報グループ番号を決定するためにＵＥによって使用される２次同期信号（ＳＳＳ）を搬送する。物理レイヤ識別情報と物理レイヤセル識別情報グループ番号とに基づいて、ＵＥは物理セル識別子（ＰＣＩ：physical cell identifier）を決定することができる。ＰＣＩに基づいて、ＵＥは、上述のＤＬ−ＲＳのロケーションを決定することができる。物理ブロードキャストチャネル（ＰＢＣＨ）は、フレームのサブフレーム０のスロット１のシンボル０、１、２、３内にあり、マスタ情報ブロック（ＭＩＢ：master information block）を搬送する。ＭＩＢは、ＤＬシステム帯域幅中のＲＢの数と、ＰＨＩＣＨ構成と、システムフ��ーム番号（ＳＦＮ）とを与える。物理ダウンリンク共有チャネル（ＰＤＳＣＨ）は、ユーザデータと、システム情報ブロック（ＳＩＢ：system information block）などのＰＢＣＨを通して送信されないブロードキャストシステム情報と、ページングメッセージとを搬送する。
【００２８】
[0038]図２Ｃに示されているように、ＲＥのうちのいくつかは、ｅＮＢにおけるチャネル推定のための復調基準信号（ＤＭ−ＲＳ：demodulation reference signal）を搬送する。ＵＥは、サブフレームの最後のシンボル中でサウンディング基準信号（ＳＲＳ：sounding reference signal）をさらに送信し得る。ＳＲＳはコム構造（comb structure）を有し得、ＵＥはコムのうちの１つの上でＳＲＳを送信し得る。ＳＲＳは、ｅＮＢによって、ＵＬ上での周波数依存スケジューリングを可能にするために、チャネル品質推定のために使用され得る。図２Ｄに、フレームのＵＬサブフレーム内の様々なチャネルの一例を示す。物理ランダムアクセスチャネル（ＰＲＡＣＨ：physical random access channel）が、ＰＲＡＣＨ構成に基づくフレーム内の１つまたは複数のサブフレーム内にあり得る。ＰＲＡＣＨは、サブフレーム内に６つの連続するＲＢペアを含み得る。ＰＲＡＣＨは、ＵＥが、初期システムアクセスを実行し、ＵＬ同期を達成することを可能にする。物理アップリンク制御チャネル（ＰＵＣＣＨ：physical uplink control channel）は、ＵＬシステム帯域幅のエッジ上に位置し得る。ＰＵＣＣＨは、ＵＥ支援情報を含むスケジューリング要求、チャネル品質インジケータ（ＣＱＩ：channel quality indicator）、プリコーディング行列インジケータ（ＰＭＩ：precoding matrix indicator）、ランクインジケータ（ＲＩ：rank indicator）、およびＨＡＲＱ  ＡＣＫ／ＮＡＣＫフィードバックなど、アップリンク制御情報（ＵＣＩ）を搬送する。ＰＵＳＣＨはデータを搬送し、バッファステータス報告（ＢＳＲ：buffer status report）、パワーヘッドルーム報告（ＰＨＲ：power headroom report）、および／またはＵＣＩを搬送するためにさらに使用され得る。
【００２９】
[0039]図３は、アクセスネットワーク中でＵＥ３５０と通信しているｅＮＢ３１０のブロック図である。ＤＬでは、ＥＰＣ１６０からのＩＰパケットはコントローラ／プロセッサ３７５に与えられ得る。コントローラ／プロセッサ３７５はレイヤ３およびレイヤ２機能を実装する。レイヤ３はＲＲＣレイヤを含み、レイヤ２は、パケットデータコンバージェンスプロトコル（ＰＤＣＰ）レイヤと、無線リンク制御（ＲＬＣ）レイヤと、媒体アクセス制御（ＭＡＣ）レイヤとを含む。コントローラ／プロセッサ３７５は、システム情報（たとえば、ＭＩＢ、ＳＩＢ）のブロードキャスティングと、ＲＲＣ接続制御（たとえば、ＲＲＣ接続ページング、ＲＲＣ接続確立、ＲＲＣ接続変更、およびＲＲＣ接続解放）と、無線アクセス技術（ＲＡＴ）間モビリティと、ＵＥ測定値報告のための測定構成とに関連するＲＲＣレイヤ機能、ヘッダ圧縮／復元と、セキュリティ（暗号化、解読、完全性保護、完全性検証）と、ハンドオーバサポート機能とに関連するＰＤＣＰレイヤ機能、上位レイヤパケットデータユニット（ＰＤＵ）の転送と、ＡＲＱを介した誤り訂正と、ＲＬＣサービスデータユニット（ＳＤＵ）の連結、セグメンテーション、およびリアセンブリ（reassembly）と、ＲＬＣデータＰＤＵの再セグメンテーションと、ＲＬＣデータＰＤＵの並べ替えとに関連するＲＬＣレイヤ機能、ならびに論理チャネルとトランスポートチャネルとの間のマッピングと、トランスポートブロック（ＴＢ）上へのＭＡＣ  ＳＤＵの多重化と、ＴＢからのＭＡＣ  ＳＤＵの多重分離と、スケジューリング情報報告と、ＨＡＲＱを介した誤り訂正と、優先度処理と、論理チャネル優先度付けとに関連するＭＡＣレイヤ機能を与える。
【００３０】
[0040]送信（ＴＸ）プロセッサ３１６および受信（ＲＸ）プロセッサ３７０は、様々な信号処理機能に関連するレイヤ１機能を実装する。物理（ＰＨＹ）レイヤを含むレイヤ１は、トランスポートチャネル上での誤り検出と、トランスポートチャネルの前方誤り訂正（ＦＥＣ：forward error correction）コーディング／復号と、インターリービングと、レートマッチングと、物理チャネル上へのマッピングと、物理チャネルの変調／復調と、ＭＩＭＯアンテナ処理とを含み得る。ＴＸプロセッサ３１６は、様々な変調方式（たとえば、２位相シフトキーイング（ＢＰＳＫ）、４位相シフトキーイング（ＱＰＳＫ）、Ｍ位相シフトキーイング（Ｍ−ＰＳＫ）、多値直交振幅変調（Ｍ−ＱＡＭ））に基づいて、信号コンスタレーションへのマッピングを扱う。コーディングされ、変調されたシンボルは、次いで並列ストリームに分割され得る。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ）を使用して互いに合成され得る。ＯＦＤＭストリームは、複数の空間ストリームを生成するために空間的にプリコーディングされる。チャネル推定器３７４からのチャネル推定値は、コーディングおよび変調方式を決定するために、ならびに空間処理のために使用され得る。チャネル推定値は、ＵＥ３５０によって送信される基準信号および／またはチャネル状態フィードバックから導出され得る。各空間ストリームは、次いで、別個の送信機３１８ＴＸを介して異なるアンテナ３２０に与えられ得る。各送信機３１８ＴＸは、送信のためにそれぞれの空間ストリームでＲＦキャリアを変調し得る。
【００３１】
[0041]ＵＥ３５０において、各受信機３５４ＲＸは、それのそれぞれのアンテナ３５２を通して信号を受信する。各受信機３５４ＲＸは、ＲＦキャリア上に変調された情報を復元し、受信（ＲＸ）プロセッサ３５６に情報を与える。ＴＸプロセッサ３６８およびＲＸプロセッサ３５６は、様々な信号処理機能に関連するレイヤ１機能を実装する。ＲＸプロセッサ３５６は、ＵＥ３５０に宛てられた任意の空間ストリームを復元するために、情報に対して空間処理を実行し得る。複数の空間ストリームがＵＥ３５０に宛てられた場合、それらはＲＸプロセッサ３５６によって単一のＯＦＤＭシンボルストリームに合成され得る。ＲＸプロセッサ３５６は、次いで、高速フーリエ変換（ＦＦＴ）を使用してＯＦＤＭシンボルストリームを時間領域から周波数領域に変換する。周波数領域信号は、ＯＦＤＭ信号のサブキャリアごとに別個のＯＦＤＭシンボルストリームを備える。各サブキャリア上のシンボルと、基準信号とは、ｅＮＢ３１０によって送信される、可能性が最も高い信号コンスタレーションポイントを決定することによって復元され、復調される。これらの軟判定は、チャネル推定器３５８によって計算されるチャネル推定値に基づき得る。軟判定は、次いで、物理チャネル上でｅＮＢ３１０によって最初に送信されたデータと制御信号とを復元するために復号され、デインターリーブされる。データおよび制御信号は次いでコントローラ／プロセッサ３５９に与えられ、コントローラ／プロセッサ３５９はレイヤ３およびレイヤ２機能を実装する。
【００３２】
[0042]コントローラ／プロセッサ３５９は、プログラムコードとデータとを記憶するメモリ３６０に関連し得る。メモリ３６０はコンピュータ可読媒体と呼ばれることがある。ＵＬでは、コントローラ／プロセッサ３５９は、ＥＰＣ１６０からのＩＰパケットを復元するために、トランスポートチャネルと論理チャネルとの間の多重分離と、パケットリアセンブリと、復号と、ヘッダ復元と、制御信号処理とを行う。コントローラ／プロセッサ３５９はまた、ＨＡＲＱ動作をサポートするためにＡＣＫおよび／またはＮＡＣＫプロトコルを使用する誤り検出を担当する。
【００３３】
[0043]ｅＮＢ３１０によるＤＬ送信に関して説明される機能と同様に、コントローラ／プロセッサ３５９は、システム情報（たとえば、ＭＩＢ、ＳＩＢ）収集と、ＲＲＣ接続と、測定報告とに関連するＲＲＣレイヤ機能、ヘッダ圧縮／復元と、セキュリティ（暗号化、解読、完全性保護、完全性検証）とに関連するＰＤＣＰレイヤ機能、上位レイヤＰＤＵの転送と、ＡＲＱを介した誤り訂正と、ＲＬＣ  ＳＤＵの連結、セグメンテーション、およびリアセンブリと、ＲＬＣデータＰＤＵの再セグメンテーションと、ＲＬＣデータＰＤＵの並べ替えとに関連するＲＬＣレイヤ機能、ならびに論理チャネルとトランスポートチャネルとの間のマッピングと、ＴＢ上へのＭＡＣ  ＳＤＵの多重化と、ＴＢからのＭＡＣ  ＳＤＵの多重分離と、スケジューリング情報報告と、ＨＡＲＱを介した誤り訂正と、優先度処理と、論理チャネル優先度付けとに関連するＭＡＣレイヤ機能を与える。
【００３４】
[0044]ｅＮＢ３１０によって送信される基準信号またはフィードバックからの、チャネル推定器３５８によって導出されるチャネル推定値は、適切なコーディングおよび変調方式を選択することと、空間処理を可能にすることとを行うために、ＴＸプロセッサ３６８によって使用され得る。ＴＸプロセッサ３６８によって生成される空間ストリームは、別個の送信機３５４ＴＸを介して異なるアンテナ３５２に与えられ得る。各送信機３５４ＴＸは、送信のためにそれぞれの空間ストリームでＲＦキャリアを変調し得る。
【００３５】
[0045]ＵＬ送信は、ＵＥ３５０における受信機機能に関して説明された様式と同様の様式でｅＮＢ３１０において処理される。各受信機３１８ＲＸは、それのそれぞれのアンテナ３２０を介して信号を受信する。各受信機３１８ＲＸは、ＲＦキャリア上に変調された情報を復元し、ＲＸプロセッサ３７０に情報を与える。
【００３６】
[0046]コントローラ／プロセッサ３７５は、プログラムコードとデータとを記憶するメモリ３７６に関連し得る。メモリ３７６はコンピュータ可読媒体と呼ばれることがある。ＵＬでは、コントローラ／プロセッサ３７５は、ＵＥ３５０からのＩＰパケットを復元するために、トランスポートチャネルと論理チャネルとの間の多重分離と、パケットリアセンブリと、解読と、ヘッダ復元と、制御信号処理とを行う。コントローラ／プロセッサ３７５からのＩＰパケットは、ＥＰＣ１６０に与えられ得る。コントローラ／プロセッサ３７５はまた、ＨＡＲＱ動作をサポートするためにＡＣＫおよび／またはＮＡＣＫプロトコルを使用する誤り検出を担当する。
【００３７】
[0047]図４はデバイスツーデバイスＶ２Ｖ通信システム４００の図である。Ｖ２Ｖ通信システム４００は、各々ワイヤレスデバイスを装備した複数の車両４０６、４０８、４１０、４１２を含む。Ｖ２Ｖ通信システム４００は、たとえば、ＷＷＡＮなどのセルラー通信システムと重なり得る。車両４０６、４０８、４１０、４１２の一部は、ＤＬ／ＵＬ  ＷＷＡＮスペクトルを使用してＶ２Ｖ通信において互いに通信し、一部は基地局４０４と通信し得、一部は両方を行い得る。
【００３８】
[0048]たとえば、図４に示されているように、車両４０６、４０８はＶ２Ｖ通信しており、車両４１０、４１２はＶ２Ｖ通信している。Ｖ２Ｖ通信は、物理サイドリンクブロードキャストチャネル（ＰＳＢＣＨ：physical sidelink broadcast channel）、物理サイドリンク発見チャネル（ＰＳＤＣＨ：physical sidelink discovery channel）、物理サイドリンク共有チャネル（ＰＳＳＣＨ：physical sidelink shared channel）、および物理サイドリンク制御チャネル（ＰＳＣＣＨ：physical sidelink control channel）など、１つまたは複数のサイドリンクチャネルを通したものであり得る。車両４１２は基地局４０４とも通信している。
【００３９】
[0049]以下で説明される例示的な方法および装置は、たとえば、ＬＴＥ、Ｖ２Ｖ、車両デバイス間（Ｖ２Ｘ）、ＦｌａｓｈＬｉｎＱ、ＶＬｉｎＱ、ＷｉＭｅｄｉａ、Ｂｌｕｅｔｏｏｔｈ（登録商標）、ＺｉｇＢｅｅ（登録商標）、またはＩＥＥＥ８０２．１１規格に基づくＷｉ−Ｆｉに基づくワイヤレスＶ２Ｖ通信システムなど、様々なワイヤレスＶ２Ｖ通信システムのいずれにも適用可能である。説明を簡略化するために、例示的な方法および装置はＶ２Ｖのコンテキスト内で説明され得る。ただし、例示的な方法および装置は、様々な他のワイヤレスＶ２Ｖ通信システムにより一般的に適用可能であることを当業者は理解されよう。
【００４０】
[0050]無人運転自動車または自動運転自動車としても知られる自律走行車両は、旧来の自動車の主要な輸送能力を実現することが可能であり得る自動車両である。自律走行車両は、レーダー、ライダー、ＧＰＳ、コンピュータビジョン、および／またはＶ２Ｖ通信などの技法を使用してそれらの周囲を検知することが可能であり得る。自律走行車両の制御システムは、適切なナビゲーション経路ならびに障害および／または関連する標識を識別するために、Ｖ２Ｖ通信を使用して取得された感覚情報およびデータを解釈し得る。さらに、自律走行車両は、Ｖ２Ｖ通信を使用して取得された感覚情報および／またはデータに基づいてマップを更新することが可能であり得る。Ｖ２Ｖ通信を使用して取得された感覚情報および／またはデータに基づいてマップを更新することは、車両が車道に入るかまたはそれを出る時など、状態が変化するときでも、車両が位置情報を追跡することを可能にし得る。
【００４１】
[0051]レガシーＬＴＥ通信とは異なり、Ｖ２Ｖ通信の場合、ワイヤレスデバイスを装備した車両（たとえば、自律走行車両、非自律走行車両、または半自律走行車両）は、同時の、複数の半永続的リソース割当てを必要とし得る。たとえば、車両は、車両が道路上の他の車両に周期的にブロードキャストする特定のタイプのメッセージにそれぞれ対応する異なる半永続的リソース割当てを必要とし得る。また、各半永続的リソース割当ては、期間、サイズ、ターゲット範囲、送信レイテンシなどに関して要件の異なるセットを満たす必要があり得る。
【００４２】
[0052]本開示は、基地局が、（１つまたは複数の）半永続的スケジューリング（ＳＰＳ）要求において指定された様々な要件を考慮した後に、ＵＥ（たとえば、車両）から受信された各ＳＰＳ要求に割り当てられる（１つまたは複数の）リソースを決定することを可能にすることによって、問題の解決策を提供する。ＳＰＳ要求は、Ｖ２Ｖ通信のためのリソース割当てのためのものであり得る。基地局は、ＵＥに（１つまたは複数の）リソース割当てをシグナリングし得る。たとえば、リソース割当ては、無線リソース制御（ＲＲＣ）許可とダウンリンク制御情報（ＤＣＩ）許可との組合せを含み得る。一態様では、ＲＲＣ許可は、複数のＳＰＳ要求のためのリソース割当て持続時間を指定し得、ＤＣＩ許可は、複数のＳＰＳ要求のためのリソース割当てをアクティブ／非アクティブにし得る。このようにして、本開示は、Ｖ２Ｖ通信において使用するために、同時の、複数の半永続的リソース割当ての割当てを可能にする。
【００４３】
[0053]図５は、本開示の一態様による、例示的なＶ２Ｖ通信システム５００の図である。Ｖ２Ｖ通信システム５００は複数の車両５０６、５０８、５１０、５１２を含む。たとえば、図５に示されているように、車両５１２の略近傍内の車両５０６、５０８、５１０と通信する前に、車両５１２は、５３０において、１つまたは複数のＶ２Ｖ通信５２８のための少なくとも１つのリソースパターンを決定し得る。Ｖ２Ｖ通信５２８のためのリソースパターンは、Ｕｕインターフェース（たとえば、ＬＴＥ−Ｕｕインターフェース）および／またはＰＣ５インターフェース（たとえば、サイドリンクＶ２Ｖインターフェース）に関連し得る。
【００４４】
[0054]車両５１２は、Ｖ２Ｖ通信において使用するための少なくとも１つのリソースパターンのためのリソース割当てを取得する試みにおいて、基地局５０４にＵＥ支援情報を含むＳＰＳ要求５２０を送り得る。ＵＥ支援情報は、少なくとも１つのリソースパターンのための周期性および／またはタイミングに関連する情報を含み得る。例示的な実施形態では、ＳＰＳ要求５２０は、ＳＰＳリソース割当てを取得するために使用され得る。たとえば、ＳＰＳ要求５２０および／またはＵＥ支援情報は、ＳＰＳリソース割当てのための要求されたリソース期間、ＳＰＳリソース割当てを使用してブロードキャストされるべきＶ２Ｖ通信５２８のサイズ、ＳＰＳリソース割当てを使用してそれを用いてＶ２Ｖ通信５２８がブロードキャストされることになる電力、ＳＰＳリソース割当てを使用してブロードキャストされるＶ２Ｖ通信５２８のタイプ、車両５１２がＶ２Ｖ通信５２８をブロードキャストしようとするときと、割り当てられたＳＰＳリソースを使用して車両５１２がＶ２Ｖ通信５２８をブロードキャストすることが可能であるときとの間のレイテンシ、および／またはシステムフレーム番号（ＳＦＮ）のＳＰＳリソース割当てのために必要とされるリソースオフセットを（たとえば、基地局５０４に対して）指定する複数のフィールドを含み得る。一態様では、リソースオフセットは、車両５１２がＶ２Ｖ通信５２８をブロードキャストしようとするときと、車両５１２がＶ２Ｖ通信５２８をブロードキャストすることが可能であるときとの間のより低い送信レイテンシを可能にし得る。一態様では、ＳＰＳ要求５２０は、ＭＡＣヘッダまたはＲＲＣ要求メッセージ中の制御要素上で基地局５０４に送られ得る。
【００４５】
[0055]例示的な実施形態では、車両５１２が、異なるリソース要件をもつ異なるタイプのＶ２Ｖ通信５２８をブロードキャストする必要があるとき、異なるリソース要件の各々に関連するＵＥ支援情報を含む単一のＳＰＳ要求５２０が、基地局５０４に送信され得る。この例示的な実施形態では、単一のＳＰＳ要求５２０および／またはＵＥ支援情報は、異なるＶ２Ｖ通信５２８のリストと、異なるＶ２Ｖ通信５２８の各々について上記で説明された様々なフィールドとを含んでいることがある。代替的に、異なるＶ２Ｖ通信５２８の各々について別個のＳＰＳ要求が車両５１２によって送信され得る。
【００４６】
[0056]まだ図５を参照すると、車両５１２からＳＰＳ要求５２０を受信した後に、基地局５０４は、５４０において、（１つまたは複数の）ＳＰＳ要求５２０および／またはＵＥ支援情報のフィールドにおいて指定された様々な要件を考慮した後に（１つまたは複数の）ＳＰＳ要求５２０のためのリソース割当てを決定し得る。一態様では、基地局５０４は、ＵＥ支援情報に基づいて車両５１２のための複数のＳＰＳ構成（たとえば、各ＳＰＳ要求５２０のための異なるＳＰＳ構成）を構成し得る。たとえば、基地局５０４が複数のＳＰＳ構成をアクティブにするとき、ＳＰＳ構成およびＵＥ支援情報は１つまたは複数の無線ベアラにリンクされ得る。複数のＳＰＳ構成の各々は、異なるパラメータ（たとえば、ＭＣＳおよび／または周期性）を含み得る。たとえば、（たとえば、ＭＣＳがＳＰＳ構成の一部である場合の）特定のＳＰＳ構成固有ＭＣＳ、およびＳＰＳ構成固有周期性が、ＵＥ支援情報を使用して基地局５０４によって構成され得る。代替的に、基地局５０４は、（たとえば、ＬＴＥに従って）一度に単一のＳＰＳ構成をアクティブにし得る。
【００４７】
[0057]基地局５０４は、ｅＰＤＣＣＨを使用して異なるＳＰＳ構成を動的にアクティブおよび／または非アクティブにし得る（たとえば、トリガし得る）。さらに、基地局５０４は、どの（１つまたは複数の）ＳＰＳ構成がアクティブおよび／または非アクティブにされているかを車両５１２に（たとえば、ＤＣＩ許可中で）シグナリングし得る。さらに、基地局５０４は、車両５１２がＶ２Ｖ通信５２８のために使用し得るＵＬ  ＳＰＳ構成をシグナリングし得る。
【００４８】
[0058]基地局５０４が、５３０において、１つまたは複数のリソースパターンが（１つまたは複数の）ＳＰＳ要求５２０のうちの１つまたは複数のための割当てのために利用可能であると決定した場合、基地局５０４は、承認されたＳＰＳ要求および／またはリソースパターンのインデックス、無線ネットワーク一時識別子（ＲＮＴＩ）、ならびに／あるいは承認された（１つまたは複数の）ＳＰＳ要求５２０の各々のためのリソース期間のうちの１つまたは複数を含む応答５２２を送信し得る。たとえば、ＲＮＴＩは、車両５１２によって送信された（１つまたは複数の）ＳＰＳ要求５２０に固有であるＶ２Ｖ  ＳＰＳ  ＲＮＴＩであり得る。
【００４９】
[0059]一態様では、応答５２２は、ＲＲＣ許可中で基地局５０４によって送信され得る。ＲＲＣ許可は、（たとえば、各ＳＰＳ要求に関連する対応するインデックス参照を用いた）各ＳＰＳ要求５２０のための周期性と、ＳＰＳリソース割振りがアクティブにされるとリソース割当てが利用可能である持続時間とを示し得る。
【００５０】
[0060]再び図５を参照すると、ＳＰＳリソース割振りおよび／または（１つまたは複数の）ＳＰＳ構成をアクティブにするために、基地局５０４はアクティブ化許可５２４を車両５１２に送信し得る。たとえば、アクティブ化許可５２４は、ＰＤＣＣＨ中でＤＣＩ許可として送信され得る。一態様では、ＤＣＩ許可は、Ｖ２Ｖ  ＳＰＳ  ＲＮＴＩでスクランブルされたＤＣＩフォーマット５（すなわち、ＤＣＩ５）であり得る。Ｖ２Ｖ  ＳＰＳ  ＲＮＴＩは、アクティブ化許可５２４（たとえば、ＤＣＩ許可）を他のタイプの許可と区別するために車両５１２によって使用され得る。一態様では、アクティブ化許可５２４は、アクティブにされているＳＰＳ要求５２０のインデックスを含み得る。ＤＣＩ許可は、ＳＰＳがアクティブにされるとリソースパターンが利用可能にされることになる持続時間、および／またＳＰＳリソース割振りに関連する周期性を示し得る。
【００５１】
[0061]アクティブ化許可５２４が受信されると、車両５１２は、５５０において、応答５２２中で受信されたＲＮＴＩを使用してＤＣＩ許可を処理し得る。例示的な実施形態では、車両５１２は、５５０において、ＲＲＣ許可中で受信されたＶ２Ｖ  ＳＰＳ  ＲＮＴＩを使用してＤＣＩ許可をデスクランブルすることによってＤＣＩ許可を処理し得る。ＤＣＩ許可がデスクランブルされると、車両５１２は、リソース割当てに基づいてＶ２Ｖ通信５２８をブロードキャストし始め得る。
【００５２】
[0062]基地局５０４は、車両５１２に非アクティブ化許可５２６を送ることによってＳＰＳリソース割振りおよび／または（１つまたは複数の）ＳＰＳ構成を非アクティブにし得る。例示的な実施形態では、非アクティブ化許可５２６はＤＣＩ許可として送信され得る。非アクティブ化許可５２６は、車両５１２によって他のタイプの許可と区別されるようにＶ２Ｖ  ＳＰＳ  ＲＮＴＩでスクランブルされ得る。一態様では、非アクティブ化許可５２６は、非アクティブにされているＳＰＳ要求のインデックスを含み得る。車両５１２は、５５０において、ＲＲＣ許可中で受信されたＶ２Ｖ  ＳＰＳ  ＲＮＴＩを使用して非アクティブ化許可５２６を処理し、非アクティブ化許可５２６が受信されたとき、Ｖ２Ｖ通信５２８をブロードキャストすることを停止し得る。このようにして、本開示は、Ｖ２Ｖ通信において使用するために、同時の、複数の半永続的リソース割当ての割当てを可能にする。
【００５３】
[0063]図６は、ワイヤレス通信の方法のフローチャート６００である。本方法は、ＵＥ（たとえば、車両５１２、装置７０２／７０２’）によって実行され得る。破線で示される動作が、本開示の様々な態様のための随意の動作を表すことを理解されたい。
【００５４】
[0064]６０２において、ＵＥは、Ｖ２Ｖ通信に必要とされる少なくとも１つのリソースパターンを決定する。一態様では、少なくとも１つのリソースパターンは複数のリソースパターンを含み得る。別の態様では、複数のリソースパターンの各リソースパターンは別個のＶ２Ｖ通信に関連し得る。たとえば、図５を参照すると、車両５０６、５０８、５１０と通信する前に、車両５１２は、５３０において、１つまたは複数のＶ２Ｖ通信５２８のための少なくとも１つのリソースパターンを決定し得る。一態様では、少なくとも１つのリソースパターンは複数のリソースパターンを含み得、複数のリソースパターンの各リソースパターンは別個のＶ２Ｖ通信に関連する。
【００５５】
[0065]６０４において、ＵＥは、少なくとも１つのリソースパターンのための支援情報を基地局に送る。一態様では、支援情報はＳＰＳ要求中に含まれ得る。別の態様では、支援情報は、Ｖ２Ｖ通信のためのターゲット範囲、Ｖ２Ｖ通信の電力、Ｖ２Ｖ通信に必要とされるリソースパターンの周期性、Ｖ２Ｖ通信におけるレイテンシ、Ｖ２Ｖ通信に関連する送信タイプ、ＳＦＮに関するリソースオフセット、またはリソースパターンが必要とされる時間の長さのうちの１つまたは複数に関連する情報を含み得る。さらなる態様では、支援情報はＭＡＣヘッダまたはＲＲＣメッセージの制御要素中で送られ得る。また別の態様では、少なくとも１つのリソースパターンに関連する支援情報を送ることは、複数の個々の送信を送ることを含み得、複数の個々の送信の各々は、異なるリソースパターンに関連する。さらにまた、少なくとも１つのリソースパターンに関連する支援情報を送ることは、異なるリソースパターンに関連する情報を含む単一の送信を送ることを含み得る。たとえば、図５を参照すると、車両５１２は、Ｖ２Ｖ通信において使用するための少なくとも１つのリソースパターンのためのリソース割当てを取得する試みにおいて、基地局５０４にＵＥ支援情報を含むＳＰＳ要求５２０を送り得る。ＵＥ支援情報は、少なくとも１つのリソースパターンのための周期性および／またはタイミングに関連する情報を含み得る。例示的な実施形態では、ＳＰＳ要求５２０は、ＳＰＳリソース割当てを取得するために使用され得る。たとえば、ＳＰＳ要求５２０および／または支援情報は、ＳＰＳリソース割当てのための要求されたリソース期間、ＳＰＳリソース割当てを使用してブロードキャストされるべきＶ２Ｖ通信５２８のサイズ、ＳＰＳリソース割当てを使用してそれを用いてＶ２Ｖ通信５２８がブロードキャストされることになる電力、ＳＰＳリソース割当てを使用してブロードキャストされるＶ２Ｖ通信５２８のタイプ、車両５１２がＶ２Ｖ通信５２８をブロードキャストしようとするときと、割り当てられたＳＰＳリソースを使用して車両５１２がＶ２Ｖ通信５２８をブロードキャストすることが可能であるときとの間のレイテンシ、および／またはシステムフレーム番号（ＳＦＮ）のＳＰＳリソース割当てのために必要とされるリソースオフセットを（たとえば、基地局５０４に対して）指定する複数のフィールドを含み得る。一態様では、リソースオフセットは、車両５１２がＶ２Ｖ通信５２８をブロードキャストしようとするときと、車両５１２がＶ２Ｖ通信５２８をブロードキャストすることが可能であるときとの間のより低い送信レイテンシを可能にし得る。一態様では、ＳＰＳ要求５２０は、ＭＡＣヘッダまたはＲＲＣ要求メッセージ中の制御要素上で基地局５０４に送られ得る。
【００５６】
[0066]６０６において、ＵＥは、基地局から、少なくとも１つのリソースパターンに関連する応答を受信し、応答は、承認されたリソースパターンのインデックスを備える。一態様では、少なくとも１つのリソースパターンに関連する応答はＲＲＣ許可中で受信され得る。たとえば、図５を参照すると、基地局５０４は、承認されたリソースパターンのインデックス、ＲＮＴＩ、および／または承認されたリソースパターンの各々のためのリソース期間のうちの１つまたは複数を含むことができる応答５２２を送信することができる。たとえば、ＲＮＴＩは、車両５１２によって送信された（１つまたは複数の）ＳＰＳ要求５２０に固有であるＶ２Ｖ  ＳＰＳ  ＲＮＴＩであり得る。車両５１２からＳＰＳ要求５２０を受信した後に、基地局５０４は、５４０において、（１つまたは複数の）ＳＰＳ要求５２０および／またはＵＥ支援情報のフィールドにおいて指定された様々な要件を考慮した後に（１つまたは複数の）ＳＰＳ要求５２０のためのリソース割当てを決定し得る。一態様では、基地局５０４は、ＵＥ支援情報に基づいて車両５１２のための複数のＳＰＳ構成（たとえば、各ＳＰＳ要求５２０のための異なるＳＰＳ構成）を構成し得る。たとえば、基地局５０４が複数のＳＰＳ構成をアクティブにするとき、ＳＰＳ構成およびＵＥ支援情報は１つまたは複数の無線ベアラにリンクされ得る。複数のＳＰＳ構成の各々は、異なるパラメータ（たとえば、ＭＣＳおよび／または周期性）を含み得る。たとえば、（たとえば、ＭＣＳがＳＰＳ構成の一部である場合の）特定のＳＰＳ構成固有ＭＣＳ、およびＳＰＳ構成固有周期性が、ＵＥ支援情報を使用して基地局５０４によって構成され得る。代替的に、基地局５０４は、（たとえば、ＬＴＥに従って）一度に単一のＳＰＳ構成をアクティブにし得る。一態様では、応答５２２は、ＲＲＣ許可中で基地局５０４によって送信され得る。ＲＲＣ許可は、（たとえば、各ＳＰＳ要求に関連する対応するインデックス参照を用いた）各ＳＰＳ要求５２０のための周期性、ＳＰＳリソース割振りがアクティブにされるとリソース割当てが期間ごとに利用可能にされ得る持続時間を示し得る。
【００５７】
[0067]６０８において、ＵＥは、基地局から、少なくとも１つのリソースパターンのためのリソース割当てのためのアクティブ化許可を受信する。一態様では、アクティブ化許可は、アクティブにされている承認されたリソースパターンのインデックスを含み得る。別の態様では、アクティブ化許可はＤＣＩ許可中で受信され得る。たとえば、再び図５を参照すると、ＳＰＳリソース割振りをアクティブにするために、基地局５０４はアクティブ化許可５２４を車両５１２に送信し得る。例示的な実施形態では、アクティブ化許可５２４は、ＰＤＣＣＨ中でＤＣＩ許可として送信され得る。一態様では、ＤＣＩ許可は、車両５１２によって他のタイプの許可と区別されるようにＶ２Ｖ  ＳＰＳ  ＲＮＴＩでスクランブルされたＤＣＩフォーマット５（すなわち、ＤＣＩ５）であり得る。ＤＣＩ許可は、ＳＰＳがアクティブにされるとリソースパターンが利用可能にされることになる持続時間を示し得る。
【００５８】
[0068]６１０において、ＵＥは、少なくとも１つのリソースパターンに関連する応答中に含まれるＲＮＴＩを使用してアクティブ化許可を処理することによってリソース割当てを決定する。たとえば、図５を参照すると、ＤＣＩ許可が受信されると、車両５１２は、５５０において、ＲＲＣ許可中で受信されたＲＮＴＩを使用してＤＣＩ許可を処理し得る。例示的な実施形態では、車両５１２は、５５０において、ＲＲＣ許可中で受信されたＶ２Ｖ  ＳＰＳ  ＲＮＴＩを使用してＤＣＩ許可をデスクランブルすることによってＤＣＩ許可を処理し得る。
【００５９】
[0069]６１２において、ＵＥは、リソース割当てに基づいてＶ２Ｖ通信を実行する。たとえば、図５を参照すると、ＤＣＩ許可がデスクランブルされると、車両５１２は、非アクティブ化許可５２６が受信されるまで、リソース割当てに基づいてＶ２Ｖ通信５２８をブロードキャストし始め得る。
【００６０】
[0070]６１４において、ＵＥは、基地局から、少なくとも１つのリソースパターンのためのリソース割当てのための非アクティブ化許可を受信する。一態様では、非アクティブ化許可は、非アクティブにされているリソースパターンのインデックスを含み得る。別の態様では、非アクティブ化許可はＤＣＩ許可中で受信され得る。たとえば、再び図５を参照すると、基地局５０４は、車両５１２に非アクティブ化許可５２６を送ることによってＳＰＳリソース割振りを非アクティブにし得る。例示的な実施形態では、非アクティブ化許可５２６はＤＣＩ許可として送信され得る。例示的な実施形態では、非アクティブ化許可は、車両５１２によって他のタイプの許可と区別されるようにＶ２Ｖ  ＳＰＳ  ＲＮＴＩでスクランブルされ得る。一態様では、非アクティブ化許可５２６は、非アクティブにされているＳＰＳ要求および／またはリソースパターンのインデックスを含み得る。車両５１２は、５５０において、ＲＲＣ許可中で受信されたＶ２Ｖ  ＳＰＳ  ＲＮＴＩを使用して非アクティブ化許可５２６を処理し、非アクティブ化許可５２６が受信されたとき、Ｖ２Ｖ通信５２８をブロードキャストすることを停止し得る。
【００６１】
[0071] 図７は、例示的な装置７０２中の異なる手段／構成要素間のデータフローを示す概念データフロー図７００である。本装置は、基地局７５０および／または車両７６０と通信している車両であり得る。本装置は、Ｖ２Ｖ通信に必要とされる少なくとも１つのリソースパターンを決定する決定構成要素７０６を含む。一態様では、決定構成要素７０６は、Ｖ２Ｖ通信のためのリソースパターンに関連する信号７２５を送信構成要素７０８に送り得る。送信構成要素７０８は、Ｖ２Ｖ通信のためのリソースパターンに関連する支援情報７３５を基地局７５０に送信し得る。受信構成要素７０４は、基地局７５０から、承認されたリソースパターンのＲＮＴＩおよび／またはインデックスを含むリソースパターンに関連する応答７０５を受信し得る。さらに、受信構成要素７０４は、基地局７５０から、アクティブにされている承認されたリソースパターンのインデックスを含むアクティブ化許可７０５を受信し得る。受信構成要素７０４は、リソースパターンへの応答および／またはアクティブ化許可のうちの１つまたは複数に関連する信号７１５を決定構成要素７０６に送り得る。決定構成要素７０６は、リソースパターンへの応答中に含まれるＲＮＴＩを使用してアクティブ化許可を処理することによってリソース割当てを決定し得る。決定構成要素７０６は、リソース割当てに関連する信号７２５を送信構成要素７０８に送り得る。送信構成要素７０８は、リソース割当てを使用してＶ２Ｖ通信７４５を車両７６０に送信し得る。受信構成要素７０４はまた、基地局７５０から非アクティブ化許可７０５を受信し得る。一態様では、非アクティブ化許可７０５は１つまたは複数のリソース割当てを非アクティブにする。受信構成要素７０４は、非アクティブ化許可７５５に関連する信号７５５を送信構成要素７０８に送信し得る。送信構成要素７０８は、非アクティブ化許可に基づいて車両７６０とのＶ２Ｖ通信を停止し得る。
【００６２】
[0072]本装置は、図６の上述のフローチャート中のアルゴリズムのブロックの各々を実行する追加の構成要素を含み得る。したがって、図６の上述のフローチャート中の各ブロックは、１つの構成要素によって実行され得、本装置は、それらの構成要素のうちの１つまたは複数を含み得る。構成要素は、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００６３】
[0073]図８は、処理システム８１４を採用する装置７０２’のためのハードウェア実装形態の一例を示す図８００である。処理システム８１４は、バス８２４によって概略的に表されるバスアーキテクチャを用いて実現され得る。バス８２４は、処理システム８１４の特定の適用例および全体的な設計制約に応じて、任意の数の相互接続バスおよびブリッジを含み得る。バス８２４は、プロセッサ８０４によって表される１つまたは複数のプロセッサおよび／またはハードウェア構成要素と、構成要素７０４、７０６、７０８と、コンピュータ可読媒体／メモリ８０６とを含む様々な回路を互いにリンクする。バス８２４はまた、タイミングソース、周辺機器、電圧調整器、および電力管理回路など、様々な他の回路をリンクし得るが、これらの回路は当技術分野においてよく知られており、したがって、これ以上説明されない。
【００６４】
[0074]処理システム８１４はトランシーバ８１０に結合され得る。トランシーバ８１０は１つまたは複数のアンテナ８２０に結合される。トランシーバ８１０は、伝送媒体を介して様々な他の装置と通信するための手段を与える。トランシーバ８１０は、１つまたは複数のアンテナ８２０から信号を受信し、受信された信号から情報を抽出し、抽出された情報を処理システム８１４、特に受信構成要素７０４に与える。さらに、トランシーバ８１０は、処理システム８１４、特に送信構成要素７０８から情報を受信し、受信された情報に基づいて、１つまたは複数のアンテナ８２０に適用されるべき信号を生成する。処理システム８１４は、コンピュータ可読媒体／メモリ８０６に結合されたプロセッサ８０４を含む。プロセッサ８０４は、コンピュータ可読媒体／メモリ８０６に記憶されたソフトウェアの実行を含む一般的な処理を担当する。ソフトウェアは、プロセッサ８０４によって実行されたとき、処理システム８１４に、特定の装置のための上記で説明された様々な機能を実行させる。コンピュータ可読媒体／メモリ８０６はまた、ソフトウェアを実行するときにプロセッサ８０４によって操作されるデータを記憶するために使用され得る。処理システム８１４は、構成要素７０４、７０６、７０８のうちの少なくとも１つをさらに含む。それらの構成要素は、プロセッサ８０４中で動作し、コンピュータ可読媒体／メモリ８０６中に存在する／記憶されたソフトウェア構成要素であるか、プロセッサ８０４に結合された１つまたは複数のハードウェア構成要素であるか、またはそれらの何らかの組合せであり得る。処理システム８１４は、ＵＥ３５０の構成要素であり得、メモリ３６０、および／またはＴＸプロセッサ３６８と、ＲＸプロセッサ３５６と、コントローラ／プロセッサ３５９とのうちの少なくとも１つを含み得る。
【００６５】
[0075]一構成では、ワイヤレス通信のための装置７０２／７０２’は、Ｖ２Ｖ通信に必要とされる少なくとも１つのリソースパターンを決定するための手段のための手段を含む。一態様では、少なくとも１つのリソースパターンは複数のリソースパターンを含み得る。別の態様では、複数のリソースパターンの各リソースパターンは別個のＶ２Ｖ通信に関連し得る。別の構成では、ワイヤレス通信のための装置７０２／７０２’は、少なくとも１つのリソースパターンに関連する支援情報を基地局に送るための手段を含む。一態様では、少なくとも１つのリソースパターンに関連する支援情報を送るための手段は、複数の個々の送信を送るように構成され得る。たとえば、複数の個々の送信の各々は、異なるリソースパターンに関連し得る。別の態様では、少なくとも１つのリソースパターンに関連する支援情報を送るための手段は、異なるリソースパターンに関連する単一の送信を送るように構成され得る。さらに別の態様では、支援情報はＳＰＳ要求であり得る。たとえば、支援情報は、Ｖ２Ｖ通信のためのターゲット範囲、Ｖ２Ｖ通信の電力、Ｖ２Ｖ通信に必要とされるリソースパターンの周期性、Ｖ２Ｖ通信におけるレイテンシ、Ｖ２Ｖ通信に関連する送信タイプ、ＳＦＮに関するリソースオフセット、またはリソースパターンが必要とされる時間の長さのうちの１つまたは複数に関連する情報を含み得る。別の態様では、支援情報はＭＡＣヘッダまたはＲＲＣメッセージの制御要素中で送られ得る。さらなる構成では、ワイヤレス通信のための装置７０２／７０２’は、基地局から、少なくとも１つのリソースパターンに関連する応答を受信するための手段を含む。たとえば、応答は、承認されたリソースパターンのインデックスを含み得る。一態様では、少なくとも１つのリソースパターンに関連する応答はＲＲＣ許可中で受信され得る。また別の構成では、ワイヤレス通信のための装置７０２／７０２’は、基地局から、少なくとも１つのリソースパターンのためのリソース割当てのためのアクティブ化許可を受信するための手段を含む。たとえば、アクティブ化許可は、承認されたリソースパターンのインデックスを含み得る。一態様では、アクティブ化許可はＤＣＩ許可中で受信され得る。またさらなる構成では、ワイヤレス通信のための装置７０２／７０２’は、少なくとも１つのリソースパターンに関連する応答中に含まれるＲＮＴＩを使用してアクティブ化許可を処理することによってリソース割当てを決定するための手段を含む。さらなる構成では、ワイヤレス通信のための装置７０２／７０２’は、リソース割当てに基づいてＶ２Ｖ通信を実行するための手段を含む。別の構成では、ワイヤレス通信のための装置７０２／７０２’は、基地局から、リソース割当てを非アクティブにする、少なくとも１つのリソースパターンに関連する非アクティブ化許可を受信するための手段を含み、非アクティブ化許可は、非アクティブにされるリソースパターンのインデックスを備える。一態様では、アクティブ化許可または非アクティブ化許可のうちの１つまたは複数はＤＣＩ許可中で受信され得る。
【００６６】
[0076]上述の手段は、上述の手段によって具陳された機能を実行するように構成された、装置７０２、および／または装置７０２’の処理システム８１４の上述の構成要素のうちの１つまたは複数であり得る。上記で説明されたように、処理システム８１４は、ＴＸプロセッサ３６８と、ＲＸプロセッサ３５６と、コントローラ／プロセッサ３５９とを含み得る。したがって、一構成では、上述の手段は、上述の手段によって具陳された機能を実行するように構成された、ＴＸプロセッサ３６８と、ＲＸプロセッサ３５６と、コントローラ／プロセッサ３５９とであり得る。
【００６７】
[0077]図９は、ワイヤレス通信の方法のフローチャート９００である。本方法は、基地局（たとえば、基地局５０４、装置１００２／１００２’）によって実行され得る。破線で示される動作が、本開示の様々な態様のための随意の動作を表すことを理解されたい。
【００６８】
[0078]ステップ９０２において、基地局は、ＵＥから、少なくとも１つのリソースパターンのための支援情報を受信する。一態様では、支援情報は、Ｖ２Ｖ通信に必要とされる少なくとも１つのリソースパターンに関連する情報を含み得る。別の態様では、支援情報はＳＰＳ要求中に含まれる。たとえば、支援情報は、Ｖ２Ｖ通信のためのターゲット範囲、Ｖ２Ｖ通信の電力、Ｖ２Ｖ通信に必要とされるリソースパターンの周期性、Ｖ２Ｖ通信におけるレイテンシ、Ｖ２Ｖ通信に関連する送信タイプ、ＳＦＮに関するリソースオフセット、またはリソースパターンが必要とされる時間の長さのうちの１つまたは複数に関連する情報を含み得る。別の態様では、支援情報はＭＡＣヘッダまたはＲＲＣメッセージの制御要素中で受信され得る。また、さらなる態様では、少なくとも１つのリソースパターンは複数のリソースパターンを含み得る。複数のリソースパターンの各リソースパターンは別個のＶ２Ｖ通信に関連し得る。また別の態様では、少なくとも１つのリソースパターンに関連する支援情報を受信することは、複数の個々の送信を受信することを含み得る。複数の個々の送信の各々は、複数のリソースパターンのうちの１つに関連し得る。代替的に、少なくとも１つのリソースパターンに関連する支援情報を受信することは、異なるリソースパターンに関連する単一の送信を受信することを含み得る。たとえば、図５を参照すると、車両５１２は、Ｖ２Ｖ通信において使用するための少なくとも１つのリソースパターンのためのリソース割当てを取得する試みにおいて、基地局５０４にＵＥ支援情報を含むＳＰＳ要求５２０を送り得る。ＵＥ支援情報は、少なくとも１つのリソースパターンのための周期性および／またはタイミングに関連する情報を含み得る。例示的な実施形態では、ＳＰＳ要求５２０は、ＳＰＳリソース割当てを取得するために使用され得る。たとえば、ＳＰＳ要求５２０および／または支援情報は、ＳＰＳリソース割当てのための要求されたリソース期間、ＳＰＳリソース割当てを使用してブロードキャストされるべきＶ２Ｖ通信５２８のサイズ、ＳＰＳリソース割当てを使用してそれを用いてＶ２Ｖ通信５２８がブロードキャストされることになる電力、ＳＰＳリソース割当てを使用してブロードキャストされるＶ２Ｖ通信５２８のタイプ、車両５１２がＶ２Ｖ通信５２８をブロードキャストしようとするときと、割り当てられたＳＰＳリソースを使用して車両５１２がＶ２Ｖ通信５２８をブロードキャストすることが可能であるときとの間のレイテンシ、および／またはシステムフレーム番号（ＳＦＮ）のＳＰＳリソース割当てのために必要とされるリソースオフセットを（たとえば、基地局５０４に対して）指定する複数のフィールドを含み得る。一態様では、リソースオフセットは、車両５１２がＶ２Ｖ通信５２８をブロードキャストしようとするときと、車両５１２がＶ２Ｖ通信５２８をブロードキャストすることが可能であるときとの間のより低い送信レイテンシを可能にし得る。一態様では、ＳＰＳ要求５２０は、ＭＡＣヘッダまたはＲＲＣ要求メッセージ中の制御要素上で基地局５０４に送られ得る。
【００６９】
[0079]９０４において、基地局は、ＵＥに、少なくとも１つのリソースパターンに関連する応答を送信する。一態様では、応答は、承認されたリソースパターンのインデックスを含み得る。さらなる態様では、少なくとも１つのリソースパターンに関連する応答はＲＲＣ許可中で送信され得る。また別の態様では、少なくとも１つのリソースパターンに関連する応答はＲＮＴＩを含み得る。たとえば、図５を参照すると、基地局５０４は、承認されたリソースパターンのインデックス、ＲＮＴＩ、および／または承認されたリソースパターンの各々のためのリソース期間のうちの１つまたは複数を含む応答５２２を送信し得る。たとえば、ＲＮＴＩは、車両５１２によって送信された（１つまたは複数の）ＳＰＳ要求５２０に固有であるＶ２Ｖ  ＳＰＳ  ＲＮＴＩであり得る。一態様では、応答５２２は、ＲＲＣ許可中で基地局によって送信され得る。ＲＲＣ許可は、（たとえば、各ＳＰＳ要求に関連する対応するインデックス参照を用いた）各ＳＰＳ要求５２０のための周期性と、ＳＰＳリソース割振りがアクティブにされるとリソースが期間ごとに利用可能にされ得る持続時間とを示し得る。
【００７０】
[0080]９０６において、基地局は、ＵＥに、少なくとも１つのリソースパターンのためのリソース割当てのためのアクティブ化許可を送信する。一態様では、アクティブ化許可は、アクティブにされている承認されたリソースパターンのインデックスを含み得る。別の態様では、アクティブ化許可はＤＣＩ許可中で送信され得る。たとえば、再び図５を参照すると、ＳＰＳリソース割振りをアクティブにするために、基地局５０４はアクティブ化許可５２４を車両５１２に送信することができる。例示的な実施形態では、アクティブ化許可５２４は、ＰＤＣＣＨ中でＤＣＩ許可として送信され得る。一態様では、ＤＣＩ許可は、車両５１２によって他のタイプの許可と区別されるようにＶ２Ｖ  ＳＰＳ  ＲＮＴＩでスクランブルされたＤＣＩフォーマット５（すなわち、ＤＣＩ５）であり得る。ＤＣＩ許可は、ＳＰＳがアクティブにされるとリソースパターンが利用可能にされることになる持続時間を示し得る。
【００７１】
[0081]９０８において、基地局は、ＵＥに、少なくとも１つのリソースパターンのためのリソース割当てのための非アクティブ化許可を送信する。一態様では、非アクティブ化許可は、非アクティブにされているリソースパターンのインデックスを含み得る。別の態様では、非アクティブ化許可はＤＣＩ許可中で送信され得る。たとえば、図５を参照すると、基地局５０４は、車両５１２に非アクティブ化許可５２６を送ることによってＳＰＳリソース割振りを非アクティブにし得る。例示的な実施形態では、非アクティブ化許可５２６はＤＣＩ許可として送信され得る。例示的な実施形態では、非アクティブ化許可は、車両５１２によって他のタイプの許可と区別されるようにＶ２Ｖ  ＳＰＳ  ＲＮＴＩでスクランブルされ得る。一態様では、非アクティブ化許可５２６は、非アクティブにされているＳＰＳ要求のインデックスを含み得る。車両５１２は、５５０において、ＲＲＣ許可中で受信されたＶ２Ｖ  ＳＰＳ  ＲＮＴＩを使用して非アクティブ化許可５２６を処理し、非アクティブ化許可５２６が受信されたとき、Ｖ２Ｖ通信５２８をブロードキャストすることを停止することができる。
【００７２】
[0082]図１０は、例示的な装置１００２中の異なる手段／構成要素間のデータフローを示す概念データフロー図１０００である。本装置は基地局であり得る。本装置は、車両１０５０から、リソースパターンに関連する支援情報１００５を受信し得る受信構成要素１００４を含む。受信構成要素１００４は、リソースパターンに関連する支援情報に関連する信号１０１５を送信構成要素１００６に送り得る。送信構成要素１００６は、少なくとも１つのリソースパターンへの応答１０２５を送信し得る。たとえば、少なくとも１つのリソースパターンへの応答は、承認されたリソースパターンのＲＮＴＩおよび／またはインデックスを含み得る。さらに、送信構成要素１００６はアクティブ化許可１０２５を車両に送信し得る。たとえば、アクティブ化許可１０２５は、承認されたリソースパターンのインデックスを含み得る。またさらに、送信構成要素１００６は非アクティブ化許可１０２５を車両１０５０に送信し得る。
【００７３】
[0083]本装置は、図９の上述のフローチャート中のアルゴリズムのブロックの各々を実行する追加の構成要素を含み得る。したがって、図９の上述のフローチャート中の各ブロックは、１つの構成要素によって実行され得、本装置は、それらの構成要素のうちの１つまたは複数を含み得る。構成要素は、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００７４】
[0084]図１１は、処理システム１１１４を採用する装置１００２’のためのハードウェア実装形態の一例を示す図１１００である。処理システム１１１４は、バス１１２４によって概略的に表されるバスアーキテクチャを用いて実装され得る。バス１１２４は、処理システム１１１４の特定の適用例および全体的な設計制約に応じて、任意の数の相互接続バスおよびブリッジを含み得る。バス１１２４は、プロセッサ１１０４によって表される１つまたは複数のプロセッサおよび／またはハードウェア構成要素と、構成要素１００４、１００６と、コンピュータ可読媒体／メモリ１１０６とを含む様々な回路を互いにリンクする。バス１１２４はまた、タイミングソース、周辺機器、電圧調整器、および電力管理回路など、様々な他の回路をリンクし得るが、これらの回路は当技術分野においてよく知られており、したがって、これ以上説明されない。
【００７５】
[0085]処理システム１１１４はトランシーバ１１１０に結合され得る。トランシーバ１１１０は１つまたは複数のアンテナ１１２０に結合される。トランシーバ１１１０は、伝送媒体を介して様々な他の装置と通信するための手段を与える。トランシーバ１１１０は、１つまたは複数のアンテナ１１２０から信号を受信し、受信された信号から情報を抽出し、抽出された情報を処理システム１１１４、特に受信構成要素１００４に与える。さらに、トランシーバ１１１０は、処理システム１１１４、特に送信構成要素１００６から情報を受信し、受信された情報に基づいて、１つまたは複数のアンテナ１１２０に適用されるべき信号を生成する。処理システム１１１４は、コンピュータ可読媒体／メモリ１１０６に結合されたプロセッサ１１０４を含む。プロセッサ１１０４は、コンピュータ可読媒体／メモリ１１０６に記憶されたソフトウェアの実行を含む一般的な処理を担当する。ソフトウェアは、プロセッサ１１０４によって実行されたとき、処理システム１１１４に、特定の装置のための上記で説明された様々な機能を実行させる。コンピュータ可読媒体／メモリ１１０６はまた、ソフトウェアを実行するときにプロセッサ１１０４によって操作されるデータを記憶するために使用され得る。処理システム１１１４は、構成要素１００４、１００６のうちの少なくとも１つをさらに含む。それらの構成要素は、プロセッサ１１０４中で動作し、コンピュータ可読媒体／メモリ１１０６中に存在する／記憶されたソフトウェア構成要素であるか、プロセッサ１１０４に結合された１つまたは複数のハードウェア構成要素であるか、またはそれらの何らかの組合せであり得る。処理システム１１１４は、ｅＮＢ３１０の構成要素であり得、メモリ３７６、および／またはＴＸプロセッサ３１６と、ＲＸプロセッサ３７０と、コントローラ／プロセッサ３７５とのうちの少なくとも１つを含み得る。
【００７６】
[0086]一構成では、ワイヤレス通信のための装置１００２／１００２’は、ＵＥから、少なくとも１つのリソースパターンに関連する支援情報を受信するための手段を含む。一態様では、支援情報は、Ｖ２Ｖ通信に必要とされる少なくとも１つのリソースパターンに関連する情報を含み得る。別の態様では、支援情報はＳＰＳ要求中に含まれ得る。たとえば、支援情報は、Ｖ２Ｖ通信のためのターゲット範囲、Ｖ２Ｖ通信の電力、Ｖ２Ｖ通信に必要とされるリソースパターンの周期性、Ｖ２Ｖ通信におけるレイテンシ、Ｖ２Ｖ通信に関連する送信タイプ、ＳＦＮに関するリソースオフセット、またはリソースパターンが必要とされる時間の長さのうちの１つまたは複数に関連する情報を含み得る。別の態様では、支援情報はＭＡＣヘッダまたはＲＲＣメッセージの制御要素中で受信され得る。別の態様では、少なくとも１つのリソースパターンは複数のリソースパターンを含み得る。たとえば、複数のリソースパターンの各リソースパターンは別個のＶ２Ｖ通信に関連し得る。別の態様では、少なくとも１つのリソースパターンに関連する支援情報を受信するための手段は、複数の個々の送信を受信するように構成され得、複数の個々の送信の各々は、複数のリソースパターンのうちの１つに関連する。さらなる態様では、少なくとも１つのリソースパターンに関連する支援情報を受信するための手段は、異なるリソースパターンに関連する情報を含む単一の送信を受信するように構成され得る。別の構成では、ワイヤレス通信のための装置１００２／１００２’は、ＵＥに、少なくとも１つのリソースパターンに関連する応答を送信するための手段を含む。一態様では、応答は、承認されたリソースパターンのインデックスを含み得る。別の態様では、少なくとも１つのリソースパターンに関連する応答はＲＲＣ許可中で送信され得る。さらなる構成では、少なくとも１つのリソースパターンに関連する応答はＲＮＴＩを含む。さらなる構成では、ワイヤレス通信のための装置１００２／１００２’は、ＵＥに、少なくとも１つのリソースパターンのためのリソース割当てのためのアクティブ化許可を送信するための手段を含む。一態様では、アクティブ化許可は、承認されたリソースパターンのインデックスを含み得る。別の態様では、アクティブ化許可はＤＣＩ許可中で送信され得る。また別の態様では、ワイヤレス通信のための装置１００２／１００２’は、ＵＥに、リソース割当てを非アクティブにする支援情報に関連する非アクティブ化許可を送信するための手段を含む。一態様では、非アクティブ化許可は、非アクティブにされたリソースパターンのインデックスを含み得る。一態様では、アクティブ化許可または非アクティブ化許可のうちの１つまたは複数はＤＣＩ許可中で送信される。上述の手段は、上述の手段によって具陳された機能を実行するように構成された、装置１００２、および／または装置１００２’の処理システム１１１４の上述の構成要素のうちの１つまたは複数であり得る。上記で説明されたように、処理システム１１１４は、ＴＸプロセッサ３１６と、ＲＸプロセッサ３７０と、コントローラ／プロセッサ３７５とを含み得る。したがって、一構成では、上述の手段は、上述の手段によって具陳された機能を実行するように構成された、ＴＸプロセッサ３１６と、ＲＸプロセッサ３７０と、コントローラ／プロセッサ３７５とであり得る。
【００７７】
[0087]開示されたプロセス／フローチャート中のブロックの特定の順序または階層は、例示的な手法の一例であることを理解されたい。設計選好に基づいて、プロセス／フローチャート中のブロックの特定の順序または階層は再構成され得ることを理解されたい。さらに、いくつかのブロックは組み合わせられるかまたは省略され得る。添付の方法クレームは、様々なブロックの要素を例示的な順序で提示したものであり、提示された特定の順序または階層に限定されるものではない。
【００７８】
[0088]以上の説明は、当業者が本明細書で説明された様々な態様を実施できるようにするために与えられた。これらの態様への様々な変更は当業者には容易に明らかであり、本明細書で定義された一般原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明されるいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明された様々な態様の要素のすべての構造的および機能的等価物は、参照により本明細書に明確に組み込まれ、特許請求の範囲に包含されるものである。その上、本明細書で開示されるいかなることも、そのような開示が特許請求の範囲に明示的に具陳されているかどうかにかかわらず、公に供するものではない。「モジュール」、「機構」、「要素」、「デバイス」などという単語は、「手段」という単語のための代用でないことがある。したがって、いかなるクレーム要素も、その要素が「ための手段」という句を使用して明確に具陳されていない限り、ミーンズプラスファンクションとして解釈されるべきではない。
以下に、本願出願の当初の特許請求の範囲に記載された発明を付記する。
［Ｃ１］
ユーザ機器（ＵＥ）のワイヤレス通信の方法であって、前記方法は、
車両間（Ｖ２Ｖ）通信に必要とされる少なくとも１つのリソースパターンを決定することと、
前記少なくとも１つのリソースパターンに関連する支援情報を基地局に送ることと、  前記基地局から、前記少なくとも１つのリソースパターンに関連する応答を受信することと、前記応答が、承認されたリソースパターンのインデックスを備える、
前記基地局から、前記少なくとも１つのリソースパターンのためのリソース割当てのためのアクティブ化許可を受信することと、前記アクティブ化許可が、承認されたリソースパターンの前記インデックスを備える、
を備える、方法。
［Ｃ２］
前記支援情報が半永続的スケジュール（ＳＰＳ）要求中に含まれる、［Ｃ１］に記載の方法。
［Ｃ３］
前記支援情報は、前記Ｖ２Ｖ通信のためのターゲット範囲、前記Ｖ２Ｖ通信の電力、前記Ｖ２Ｖ通信に必要とされる前記少なくとも１つのリソースパターンの周期性、前記Ｖ２Ｖ通信におけるレイテンシ、前記Ｖ２Ｖ通信に関連する送信タイプ、システムフレーム番号（ＳＦＮ）に関するリソースオフセット、または前記少なくとも１つのリソースパターンが必要とされる時間の長さのうちの１つまたは複数に関連する情報を含む、［Ｃ１］に記載の方法。
［Ｃ４］
前記支援情報が媒体アクセス制御（ＭＡＣ）ヘッダまたは無線リソース制御（ＲＲＣ）メッセージの制御要素中で送られ、
前記少なくとも１つのリソースパターンに関連する前記応答がＲＲＣ許可中で受信され、
前記アクティブ化許可がデータチャネル情報（ＤＣＩ）許可中で受信される、
［Ｃ１］に記載の方法。
［Ｃ５］
前記少なくとも１つのリソースパターンが複数のリソースパターンを備え、
前記複数のリソースパターンの各リソースパターンが別個のＶ２Ｖ通信に関連する、［Ｃ１］に記載の方法。
［Ｃ６］
前記少なくとも１つのリソースパターンに関連する前記支援情報を前記送ることが、複数の個々の送信を送ることを備え、前記複数の個々の送信の各々が、異なるリソースパターンに関連する、［Ｃ５］に記載の方法。
［Ｃ７］
前記少なくとも１つのリソースパターンに関連する前記支援情報を前記送ることが、前記少なくとも１つのリソースパターンに関連する単一の送信を送ることを備える、［Ｃ５］に記載の方法。
［Ｃ８］
前記リソース割当てに基づいて前記Ｖ２Ｖ通信を実行することをさらに備える、［Ｃ１］に記載の方法。
［Ｃ９］
前記基地局から、前記リソース割当てを非アクティブにする、前記少なくとも１つのリソースパターンに関連する非アクティブ化許可を受信することをさらに備え、前記非アクティブ化許可が、非アクティブにされるリソースパターンのインデックスを備える、［Ｃ１］に記載の方法。
［Ｃ１０］
前記アクティブ化許可または前記非アクティブ化許可のうちの１つまたは複数がダウンリンク制御情報（ＤＣＩ）許可中で受信される、［Ｃ９］に記載の方法。
［Ｃ１１］
前記少なくとも１つのリソースパターンに関連する前記応答中に含まれる無線ネットワーク一時識別子（ＲＮＴＩ）を使用して前記アクティブ化許可を処理することによって前記リソース割当てを決定することをさらに備える、［Ｃ１］に記載の方法。
［Ｃ１２］
ワイヤレス通信のための装置であって、
メモリと、
前記メモリに結合された少なくとも１つのプロセッサと
を備え、前記少なくとも１つのプロセッサは、
車両間（Ｖ２Ｖ）通信に必要とされる少なくとも１つのリソースパターンを決定することと、
前記少なくとも１つのリソースパターンに関連する支援情報を基地局に送ることと、    前記基地局から、前記少なくとも１つのリソースパターンに関連する応答を受信することと、前記応答が、承認されたリソースパターンのインデックスを備える、
前記基地局から、前記少なくとも１つのリソースパターンのためのリソース割当てのためのアクティブ化許可を受信することと、前記アクティブ化許可が、承認されたリソースパターンの前記インデックスを備える、
を行うように構成された、装置。
［Ｃ１３］
前記支援情報が半永続的スケジュール（ＳＰＳ）要求中に含まれる、［Ｃ１２］に記載の装置。
［Ｃ１４］
前記支援情報は、前記Ｖ２Ｖ通信のためのターゲット範囲、前記Ｖ２Ｖ通信の電力、前記Ｖ２Ｖ通信に必要とされる前記少なくとも１つのリソースパターンの周期性、前記Ｖ２Ｖ通信におけるレイテンシ、前記Ｖ２Ｖ通信に関連する送信タイプ、システムフレーム番号（ＳＦＮ）に関するリソースオフセット、または前記少なくとも１つのリソースパターンが必要とされる時間の長さのうちの１つまたは複数を含む、［Ｃ１２］に記載の装置。
［Ｃ１５］
前記支援情報が媒体アクセス制御（ＭＡＣ）ヘッダまたは無線リソース制御（ＲＲＣ）メッセージの制御要素中で送られ、
前記支援情報に関連する前記応答がＲＲＣ許可中で受信され、
前記アクティブ化許可がデータチャネル情報（ＤＣＩ）許可中で受信される、
［Ｃ１２］に記載の装置。
［Ｃ１６］
前記少なくとも１つのリソースパターンが複数のリソースパターンを備え、
前記複数のリソースパターンの各リソースパターンが別個のＶ２Ｖ通信に関連する、［Ｃ１２］に記載の装置。
［Ｃ１７］
前記少なくとも１つのプロセッサが、複数の個々の送信を送ることによって、前記少なくとも１つのリソースパターンに関連する前記支援情報を送るように構成され、前記複数の個々の送信の各々が、異なるリソースパターンに関連する、［Ｃ１２］に記載の装置。
［Ｃ１８］
前記少なくとも１つのプロセッサが、前記少なくとも１つのリソースパターンに関連する単一の送信を送ることによって、前記少なくとも１つのリソースパターンに関連する前記支援情報を送るように構成された、［Ｃ１２］に記載の装置。
［Ｃ１９］
前記少なくとも１つのプロセッサが、前記リソース割当てに基づいて前記Ｖ２Ｖ通信を実行するようにさらに構成された、［Ｃ１２］に記載の装置。
［Ｃ２０］
前記少なくとも１つのプロセッサが、前記基地局から、前記リソース割当てを非アクティブにする、前記少なくとも１つのリソースパターンに関連する非アクティブ化許可を受信するようにさらに構成され、前記非アクティブ化許可が、非アクティブにされるリソースパターンのインデックスを備える、［Ｃ１２］に記載の装置。
［Ｃ２１］
前記アクティブ化許可または前記非アクティブ化許可のうちの１つまたは複数がダウンリンク制御情報（ＤＣＩ）許可中で受信される、［Ｃ２０］に記載の装置。
［Ｃ２２］
前記少なくとも１つのプロセッサが、前記少なくとも１つのリソースパターンに関連する前記応答中に含まれる無線ネットワーク一時識別子（ＲＮＴＩ）を使用して前記アクティブ化許可を処理することによって前記リソース割当てを決定するようにさらに構成された、［Ｃ１２］に記載の装置。
［Ｃ２３］
ワイヤレス通信のための装置であって、
車両間（Ｖ２Ｖ）通信に必要とされる少なくとも１つのリソースパターンを決定するための手段と、
前記少なくとも１つのリソースパターンに関連する支援情報を基地局に送るための手段と、
前記基地局から、前記少なくとも１つのリソースパターンに関連する応答を受信するための手段と、前記応答が、承認されたリソースパターンのインデックスを備える、
前記基地局から、前記少なくとも１つのリソースパターンのためのリソース割当てのためのアクティブ化許可を受信するための手段と、前記アクティブ化許可が、承認されたリソースパターンの前記インデックスを備える、
を備える、装置。
［Ｃ２４］
前記支援情報が半永続的スケジュール（ＳＰＳ）要求中に含まれる、［Ｃ２３］に記載の装置。
［Ｃ２５］
前記支援情報は、前記Ｖ２Ｖ通信のためのターゲット範囲、前記Ｖ２Ｖ通信の電力、前記Ｖ２Ｖ通信に必要とされる前記少なくとも１つのリソースパターンの周期性、前記Ｖ２Ｖ通信におけるレイテンシ、前記Ｖ２Ｖ通信に関連する送信タイプ、システムフレーム番号（ＳＦＮ）に関するリソースオフセット、または前記少なくとも１つのリソースパターンが必要とされる時間の長さのうちの１つまたは複数に関連する情報を含む、［Ｃ２３］に記載の装置。
［Ｃ２６］
前記支援情報が媒体アクセス制御（ＭＡＣ）ヘッダまたは無線リソース制御（ＲＲＣ）メッセージの制御要素中で送られ、
前記支援情報に関連する前記応答がＲＲＣ許可中で受信され、
前記アクティブ化許可がデータチャネル情報（ＤＣＩ）許可中で受信される、
［Ｃ２３］に記載の装置。
［Ｃ２７］
前記少なくとも１つのリソースパターンが複数のリソースパターンを備え、
前記複数のリソースパターンの各リソースパターンが別個のＶ２Ｖ通信に関連する、［Ｃ２３］に記載の装置。
［Ｃ２８］
前記少なくとも１つのリソースパターンに関連する前記支援情報を送るための前記手段が、複数の個々の送信を送るように構成され、前記複数の個々の送信の各々が、異なるリソースパターンに関連する、［Ｃ２７］に記載の装置。
［Ｃ２９］
前記少なくとも１つのリソースパターンに関連する前記支援情報を送るための前記手段が、前記少なくとも１つのリソースパターンに関連する情報を含む単一の送信を送るように構成された、［Ｃ２７］に記載の装置。
［Ｃ３０］
車両間（Ｖ２Ｖ）通信に必要とされる少なくとも１つのリソースパターンを決定することと、
前記少なくとも１つのリソースパターン関連する支援情報を基地局に送ることと、
前記基地局から、前記少なくとも１つのリソースパターンに関連する応答を受信することと、前記応答が、承認されたリソースパターンのインデックスを備える、
前記基地局から、前記少なくとも１つのリソースパターンのためのリソース割当てのためのアクティブ化許可を受信することと、前記アクティブ化許可が、承認されたリソースパターンの前記インデックスを備える、
を行うためのコードを備える、コンピュータ実行可能コードを記憶するコンピュータ可読媒体。
【図１】
0006752876.tif 000002
【図２Ａ】
0006752876.tif 000003
【図２Ｂ】
0006752876.tif 000004
【図２Ｃ】
0006752876.tif 000005
【図２Ｄ】
0006752876.tif 000006
【図３】
0006752876.tif 000007
【図４】
0006752876.tif 000008
【図５】
0006752876.tif 000009
【図６】
0006752876.tif 000010
【図７】
0006752876.tif 000011
【図８】
0006752876.tif 000012
【図９】
0006752876.tif 000013
【図１０】
0006752876.tif 000014
【図１１】
0006752876.tif 000015